(57)【要約】【課題】Ａ／Ｎを示す情報および／またはＣＳＩに対する品質を柔軟に制御することができる移動通信システム、基地局装置、移動局装置および通信方法を提供する。【解決手段】移動局装置は、サービングセルの数とサービングセルにおける下りリンク送信モードに応じて、Ａ／Ｎを示す情報のビット数を決定し、決定したＡ/Ｎを示す情報のビット数に応じて、符号後のＡ/Ｎを示す情報のビット数と符号後のチャネル状態情報のビット数を決定し、符号後のチャネル状態情報のビット数が所定の値を下回っている場合には、チャネル状態情報をドロップし、Ａ/Ｎを示す情報のみを物理上りリンク制御チャネルリソースを使用して基地局装置へ送信する。【選択図】図５
2013098952.tif 000002
【特許請求の範囲】
【請求項１】
移動局装置が、Ａ/Ｎを示す情報とチャネル状態情報を単一の物理上りリンク制御チャネルリソースを使用して基地局装置へ送信する移動通信システムであって、
前記移動局装置は、
サービングセルの数と前記サービングセルにおける下りリンク送信モードに応じて、前記Ａ／Ｎを示す情報のビット数を決定し、
前記決定したＡ/Ｎを示す情報のビット数に応じて、符号化されたＡ/Ｎを示す情報のビット数と符号化されたチャネル状態情報のビット数を決定し、
前記符号化されたチャネル状態情報のビット数が所定の値を下回っている場合には、前記チャネル状態情報をドロップし、前記Ａ/Ｎを示す情報のみを前記物理上りリンク制御チャネルリソースを使用して前記基地局装置へ送信し、
前記基地局装置は、
前記Ａ/Ｎを示す情報のみを前記物理上りリンク制御チャネルリソースを使用して前記移動局装置から受信する
ことを特徴とする移動通信システム。
【請求項２】
前記所定の値は、符号化前のチャネル状態情報のビット数に応じて決定される
ことを特徴とする請求項１に記載の移動通信システム。
【請求項３】
移動局装置が、Ａ/Ｎを示す情報とチャネル状態情報を単一の物理上りリンク制御チャネルリソースを使用して基地局装置へ送信する移動通信システムであって、
前記移動局装置は、
前記Ａ/Ｎを示す情報のビット数に応じて、符号化されたチャネル状態情報の第１のビット数を決定し、
前記チャネル状態情報のビット数に応じて、符号化されたチャネル状態情報の第２のビット数を決定し、
前記第１のビット数と前記第２のビット数とのうちの大きい値を、第３のビット数として選択し、
符号化されたＡ/Ｎを示す情報と前記第３のビット数の符号化されたチャネル状態情報を前記物理上りリンク制御チャネルリソースを使用して前記基地局装置へ送信し、
前記基地局装置は、
前記符号化されたＡ/Ｎを示す情報と前記第３のビット数の符号化されたチャネル状態情報を前記物理上りリンク制御チャネルリソースを使用して前記移動局装置から受信する
ことを特徴とする移動通信システム。
【請求項４】
移動局装置が、Ａ/Ｎを示す情報とチャネル状態情報を単一の物理上りリンク制御チャネルリソースを使用して基地局装置へ送信する移動通信システムであって、
前記移動局装置は、
サービングセルの数と前記サービングセルにおける下りリンク送信モードに応じて、前記Ａ／Ｎを示す情報のビット数を決定し、
前記決定したＡ/Ｎを示す情報のビット数に応じて、符号化されたＡ/Ｎを示す情報のビット数と符号化されたチャネル状態情報のビット数を決定し、
前記Ａ/Ｎを示す情報と前記チャネル状態情報を前記物理上りリンク制御チャネルリソースを使用して前記基地局装置へ送信し、
前記基地局装置は、
前記Ａ/Ｎを示す情報と前記チャネル状態情報を前記物理上りリンク制御チャネルリソースを使用して前記移動局装置から受信し、
前記符号化されたＡ/Ｎを示す情報のビット数は、所定の値以下である
ことを特徴とする移動通信システム。
【請求項５】
前記所定の値は、物理上りリンクチャネルフォーマットで送信可能な符号化ビット数に応じて決定される
ことを特徴とする請求項４に記載の移動通信システム。
【請求項６】
前記所定の値は、物理上りリンクチャネルフォーマットで送信可能な符号化前のチャネル状態情報のビット数に応じて決定される
ことを特徴とする請求項４または請求項５に記載の移動通信システム。
【請求項７】
前記所定の値は、前記Ａ/Ｎを示す情報の符号化に使用される符号化方式に応じて決定される
ことを特徴とする請求項４から請求項６のいずれかに記載の移動通信システム。
【請求項８】
移動局装置が、Ａ/Ｎを示す情報とチャネル状態情報を単一の物理上りリンク制御チャネルリソースを使用して基地局装置へ送信する移動通信システムであって、
前記移動局装置は、
サービングセルの数と前記サービングセルにおける下りリンク送信モードに応じて、前記Ａ／Ｎを示す情報のビット数を決定し、
前記決定したＡ/Ｎを示す情報のビット数に応じて、符号化されたＡ/Ｎを示す情報のビット数と符号化されたチャネル状態情報のビット数を決定し、
前記決定したビット数の符号化されたＡ／Ｎを示す情報と前記決定したビット数の符号化されたチャネル状態情報を連結した後に、２符号化ビット単位でインターリーブし、
前記インターリーブされた前記Ａ/Ｎを示す情報と前記チャネル状態情報を前記物理上りリンク制御チャネルリソースを使用して前記基地局装置へ送信し、
前記基地局装置は、
前記インターリーブされた前記Ａ/Ｎを示す情報と前記チャネル状態情報を前記物理上りリンク制御チャネルリソースを使用して前記移動局装置から受信する
ことを特徴とする移動通信システム。
【請求項９】
Ａ/Ｎを示す情報とチャネル状態情報を単一の物理上りリンク制御チャネルリソースを使用して移動局装置から受信する基地局装置であって、
サービングセルの数と前記サービングセルにおける下りリンク送信モードに応じて、前記Ａ／Ｎを示す情報のビット数を決定し、
前記決定したＡ/Ｎを示す情報のビット数に応じて、符号後のＡ/Ｎを示す情報のビット数と符号後のチャネル状態情報のビット数を決定し、
前記符号後のチャネル状態情報のビット数が所定の値を下回っている場合には、前記Ａ/Ｎを示す情報のみを前記物理上りリンク制御チャネルリソースを使用して前記移動局装置から受信する
ことを特徴とする基地局装置。
【請求項１０】
Ａ/Ｎを示す情報とチャネル状態情報を単一の物理上りリンク制御チャネルリソースを使用して移動局装置から受信する基地局装置であって、
前記Ａ/Ｎを示す情報のビット数に応じて、符号後のチャネル状態情報の第１のビット数を決定し、
前記チャネル状態情報のビット数に応じて、符号化後のチャネル状態情報の第２のビット数を決定し、
前記第１のビット数と前記第２のビット数とのうちの大きい値を、第３のビット数として選択し、
符号化後のＡ/Ｎを示す情報と前記第３のビット数の符号化後のチャネル状態情報を前記物理上りリンク制御チャネルリソースを使用して前記移動局装置から受信する
ことを特徴とする基地局装置。
【請求項１１】
Ａ/Ｎを示す情報とチャネル状態情報を単一の物理上りリンク制御チャネルリソースを使用して移動局装置から受信する基地局装置であって、
サービングセルの数と前記サービングセルにおける下りリンク送信モードに応じて、前記Ａ／Ｎを示す情報のビット数を決定し、
前記決定したＡ/Ｎを示す情報のビット数に応じて、符号後のＡ/Ｎを示す情報のビット数と符号後のチャネル状態情報のビット数を決定し、
前記Ａ/Ｎを示す情報と前記チャネル状態情報を前記物理上りリンク制御チャネルリソースを使用して前記移動局装置から受信し、
前記符号後のＡ/Ｎを示す情報のビット数は、所定の値以下である
ことを特徴とする基地局装置。
【請求項１２】
Ａ/Ｎを示す情報とチャネル状態情報を単一の物理上りリンク制御チャネルリソースを使用して移動局装置から受信する基地局装置であって、
サービングセルの数と前記サービングセルにおける下りリンク送信モードに応じて、前記Ａ／Ｎを示す情報のビット数を決定し、
前記決定したＡ/Ｎを示す情報のビット数に応じて、符号化されたＡ/Ｎを示す情報のビット数と符号化されたチャネル状態情報のビット数を決定し、
前記決定したビット数の符号化されたＡ／Ｎを示す情報と前記決定したビット数の符号化されたチャネル状態情報を連結した後に、２符号化ビット単位でインターリーブし、
前記インターリーブされた前記Ａ/Ｎを示す情報と前記チャネル状態情報を前記物理上りリンク制御チャネルリソースを使用して前記移動局装置から受信する
ことを特徴とする基地局装置。
【請求項１３】
Ａ/Ｎを示す情報とチャネル状態情報を単一の物理上りリンク制御チャネルリソースを使用して基地局装置へ送信する移動局装置であって、
サービングセルの数と前記サービングセルにおける下りリンク送信モードに応じて、前記Ａ／Ｎを示す情報のビット数を決定し、
前記決定したＡ/Ｎを示す情報のビット数に応じて、符号後のＡ/Ｎを示す情報のビット数と符号後のチャネル状態情報のビット数を決定し、
前記符号後のチャネル状態情報のビット数が所定の値を下回っている場合には、前記チャネル状態情報をドロップし、前記Ａ/Ｎを示す情報のみを前記物理上りリンク制御チャネルリソースを使用して前記基地局装置へ送信する
ことを特徴とする移動局装置。
【請求項１４】
Ａ/Ｎを示す情報とチャネル状態情報を単一の物理上りリンク制御チャネルリソースを使用して基地局装置へ送信する移動局装置であって、
前記Ａ/Ｎを示す情報のビット数に応じて、符号後のチャネル状態情報の第１のビット数を決定し、
前記チャネル状態情報のビット数に応じて、符号化後のチャネル状態情報の第２のビット数を決定し、
前記第１のビット数と前記第２のビット数とのうちの大きい値を、第３のビット数として選択し、
符号化後のＡ/Ｎを示す情報と前記第３のビット数の符号化後のチャネル状態情報を前記物理上りリンク制御チャネルリソースを使用して前記基地局装置へ送信する
ことを特徴とする移動局装置。
【請求項１５】
Ａ/Ｎを示す情報とチャネル状態情報を単一の物理上りリンク制御チャネルリソースを使用して基地局装置へ送信する移動局装置であって、
サービングセルの数と前記サービングセルにおける下りリンク送信モードに応じて、前記Ａ／Ｎを示す情報のビット数を決定し、
前記決定したＡ/Ｎを示す情報のビット数に応じて、符号後のＡ/Ｎを示す情報のビット数と符号後のチャネル状態情報のビット数を決定し、
前記Ａ/Ｎを示す情報と前記チャネル状態情報を前記物理上りリンク制御チャネルリソースを使用して前記基地局装置へ送信し、
前記符号後のＡ/Ｎを示す情報のビット数は、所定の値以下である
ことを特徴とする移動局装置。
【請求項１６】
Ａ/Ｎを示す情報とチャネル状態情報を単一の物理上りリンク制御チャネルリソースを使用して基地局装置へ送信する移動局装置であって、
サービングセルの数と前記サービングセルにおける下りリンク送信モードに応じて、前記Ａ／Ｎを示す情報のビット数を決定し、
前記決定したＡ/Ｎを示す情報のビット数に応じて、符号化されたＡ/Ｎを示す情報のビット数と符号化されたチャネル状態情報のビット数を決定し、
前記決定したビット数の符号化されたＡ／Ｎを示す情報と前記決定したビット数の符号化されたチャネル状態情報を連結した後に、２符号化ビット単位でインターリーブし、
前記インターリーブされた前記Ａ/Ｎを示す情報と前記チャネル状態情報を前記物理上りリンク制御チャネルリソースを使用して前記基地局装置へ送信する
ことを特徴とする移動局装置。
【請求項１７】
Ａ/Ｎを示す情報とチャネル状態情報を単一の物理上りリンク制御チャネルリソースを使用して移動局装置から受信する基地局装置の通信方法であって、
サービングセルの数と前記サービングセルにおける下りリンク送信モードに応じて、前記Ａ／Ｎを示す情報のビット数を決定し、
前記決定したＡ/Ｎを示す情報のビット数に応じて、符号後のＡ/Ｎを示す情報のビット数と符号後のチャネル状態情報のビット数を決定し、
前記符号後のチャネル状態情報のビット数が所定の値を下回っている場合には、前記Ａ/Ｎを示す情報のみを前記物理上りリンク制御チャネルリソースを使用して前記移動局装置から受信する
ことを特徴とする通信方法。
【請求項１８】
Ａ/Ｎを示す情報とチャネル状態情報を単一の物理上りリンク制御チャネルリソースを使用して移動局装置から受信する基地局装置の通信方法であって、
前記Ａ/Ｎを示す情報のビット数に応じて、符号後のチャネル状態情報の第１のビット数を決定し、
前記チャネル状態情報のビット数に応じて、符号化後のチャネル状態情報の第２のビット数を決定し、
前記第１のビット数と前記第２のビット数とのうちの大きい値を、第３のビット数として選択し、
符号化後のＡ/Ｎを示す情報と前記第３のビット数の符号化後のチャネル状態情報を前記物理上りリンク制御チャネルリソースを使用して前記移動局装置から受信する
ことを特徴とする通信方法。
【請求項１９】
Ａ/Ｎを示す情報とチャネル状態情報を単一の物理上りリンク制御チャネルリソースを使用して移動局装置から受信する基地局装置の通信方法であって、
サービングセルの数と前記サービングセルにおける下りリンク送信モードに応じて、前記Ａ／Ｎを示す情報のビット数を決定し、
前記決定したＡ/Ｎを示す情報のビット数に応じて、符号後のＡ/Ｎを示す情報のビット数と符号後のチャネル状態情報のビット数を決定し、
前記Ａ/Ｎを示す情報と前記チャネル状態情報を前記物理上りリンク制御チャネルリソースを使用して前記移動局装置から受信し、
前記符号後のＡ/Ｎを示す情報のビット数は、所定の値以下である
ことを特徴とする通信方法。
【請求項２０】
Ａ/Ｎを示す情報とチャネル状態情報を単一の物理上りリンク制御チャネルリソースを使用して移動局装置から受信する基地局装置の通信方法であって、
サービングセルの数と前記サービングセルにおける下りリンク送信モードに応じて、前記Ａ／Ｎを示す情報のビット数を決定し、
前記決定したＡ/Ｎを示す情報のビット数に応じて、符号化されたＡ/Ｎを示す情報のビット数と符号化されたチャネル状態情報のビット数を決定し、
前記決定したビット数の符号化されたＡ／Ｎを示す情報と前記決定したビット数の符号化されたチャネル状態情報を連結した後に、２符号化ビット単位でインターリーブし、
前記インターリーブされた前記Ａ/Ｎを示す情報と前記チャネル状態情報を前記物理上りリンク制御チャネルリソースを使用して前記移動局装置から受信する
ことを特徴とする通信方法。
【請求項２１】
Ａ/Ｎを示す情報とチャネル状態情報を単一の物理上りリンク制御チャネルリソースを使用して基地局装置へ送信する移動局装置の通信方法であって、
サービングセルの数と前記サービングセルにおける下りリンク送信モードに応じて、前記Ａ／Ｎを示す情報のビット数を決定し、
前記決定したＡ/Ｎを示す情報のビット数に応じて、符号後のＡ/Ｎを示す情報のビット数と符号後のチャネル状態情報のビット数を決定し、
前記符号後のチャネル状態情報のビット数が所定の値を下回っている場合には、前記チャネル状態情報をドロップし、前記Ａ/Ｎを示す情報のみを前記物理上りリンク制御チャネルリソースを使用して前記基地局装置へ送信する
ことを特徴とする通信方法。
【請求項２２】
Ａ/Ｎを示す情報とチャネル状態情報を単一の物理上りリンク制御チャネルリソースを使用して基地局装置へ送信する移動局装置の通信方法であって、
前記Ａ/Ｎを示す情報のビット数に応じて、符号後のチャネル状態情報の第１のビット数を決定し、
前記チャネル状態情報のビット数に応じて、符号化後のチャネル状態情報の第２のビット数を決定し、
前記第１のビット数と前記第２のビット数とのうちの大きい値を、第３のビット数として選択し、
符号化後のＡ/Ｎを示す情報と前記第３のビット数の符号化後のチャネル状態情報を前記物理上りリンク制御チャネルリソースを使用して前記基地局装置へ送信する
ことを特徴とする通信方法。
【請求項２３】
Ａ/Ｎを示す情報とチャネル状態情報を単一の物理上りリンク制御チャネルリソースを使用して基地局装置へ送信する移動局装置の通信方法であって、
サービングセルの数と前記サービングセルにおける下りリンク送信モードに応じて、前記Ａ／Ｎを示す情報のビット数を決定し、
前記決定したＡ/Ｎを示す情報のビット数に応じて、符号後のＡ/Ｎを示す情報のビット数と符号後のチャネル状態情報のビット数を決定し、
前記Ａ/Ｎを示す情報と前記チャネル状態情報を前記物理上りリンク制御チャネルリソースを使用して前記基地局装置へ送信し、
前記符号後のＡ/Ｎを示す情報のビット数は、所定の値以下である
ことを特徴とする通信方法。
【請求項２４】
Ａ/Ｎを示す情報とチャネル状態情報を単一の物理上りリンク制御チャネルリソースを使用して基地局装置へ送信する移動局装置の通信方法であって、
サービングセルの数と前記サービングセルにおける下りリンク送信モードに応じて、前記Ａ／Ｎを示す情報のビット数を決定し、
前記決定したＡ/Ｎを示す情報のビット数に応じて、符号化されたＡ/Ｎを示す情報のビット数と符号化されたチャネル状態情報のビット数を決定し、
前記決定したビット数の符号化されたＡ／Ｎを示す情報と前記決定したビット数の符号化されたチャネル状態情報を連結した後に、２符号化ビット単位でインターリーブし、
前記インターリーブされた前記Ａ/Ｎを示す情報と前記チャネル状態情報を前記物理上りリンク制御チャネルリソースを使用して前記基地局装置へ送信する
ことを特徴とする通信方法。
【発明の詳細な説明】
【技術分野】
【０００１】
本発明は、移動通信システム、基地局装置、移動局装置および通信方法に関する。
【背景技術】
【０００２】
セルラー移動通信の無線アクセス方式および無線ネットワークの進化（以下、ＬＴＥ：Long Term Evolution、または、ＥＵＴＲＡ：Evolved Universal Terrestrial Radio Accessとも呼称する）が、第三世代パートナーシッププロジェクト（３ＧＰＰ：3rd Generation Partnership Project）において検討されている。ＬＴＥでは、基地局装置から移動局装置への下りリンクの通信方式として、マルチキャリア送信であるＯＦＤＭ（Orthogonal Frequency Division Multiplexing）方式が用いられる。また、移動局装置から基地局装置への上りリンクの通信方式として、シングルキャリア送信であるＳＣ−ＦＤＭＡ（Single-Carrier Frequency Division Multiple Access）方式が用いられる。ここで、ＬＴＥでは、基地局装置をｅＮｏｄｅＢ（evolved NodeB）、移動局装置をＵＥ（User Equipment）とも呼称する。
【０００３】
また、ＬＴＥリリース１０では、ＬＴＥリリース８／リリース９と同一のチャネル構造を持つサービングセルを複数用いて、基地局装置と移動局装置が通信を行う技術（セル集約: cell aggregation、キャリア集約: carrier aggregationとも呼称される）が検討されている（非特許文献１）。例えば、基地局装置と移動局装置は、集約された複数のサービングセルを使用して、同一サブフレームにおいて、複数の物理チャネルでの情報の送受信を行う。
【０００４】
さらに、ＬＴＥリリース１１では、セル集約を使用して通信を行う際に、移動局装置が、Ａ／Ｎを示す情報（肯定応答：Positive Acknowledgement/否定応答：Negative Acknowledgement、ＨＡＲＱ（ハイブリッド自動再送要求：Hybrid Automatic Repeat Request）におけるＡ／Ｎを示す情報、ＡＣＫ／ＮＡＣＫを示す情報とも呼称される）とチャネル状態情報（ＣＳＩ：Channel State Information）をともに、単一の物理上りリンク制御チャネル（ＰＵＣＣＨ：Physical Uplink Control Channel）リソースを使用して送信することが検討されている。
【０００５】
例えば、ＬＴＥリリース１１では、Ａ／Ｎを示す情報とＣＳＩをともに送信する際に、符号化されたＡ／Ｎビットの数（the number of coded A/N bits）と符号化されたＣＳＩビットの数（the number of coded CSI bits）を、（符号化前の）Ａ／Ｎビットの数（the number of A/N bits）に応じて決定することが提案されている（非特許文献２）。
【先行技術文献】
【非特許文献】
【０００６】
【非特許文献１】"Carrier aggregation in LTE-Advanced", 3GPP TSG-RAN WG1 #53bis, R1-082468, June 30-July 4, 2008.
【非特許文献２】"Periodic CSI and A/N reporting for CA", 3GPP TSG-RAN WG1 #66bis, R1-112921, October 10-14, 2011.
【発明の概要】
【発明が解決しようとする課題】
【０００７】
しかしながら、従来の技術では、Ａ／Ｎを示す情報および／またはＣＳＩに対する品質を柔軟に制御することができなかった。
【０００８】
本発明は、このような事情に鑑みてなされたものであり、Ａ／Ｎを示す情報および／またはＣＳＩに対する品質を柔軟に制御することができる移動通信システム、基地局装置、移動局装置および通信方法を提供する。
【課題を解決するための手段】
【０００９】
（１）上記の目的を達成するために、本発明は、以下のような手段を講じた。すなわち、本発明の移動通信システムは、移動局装置が、Ａ/Ｎを示す情報とチャネル状態情報を単一の物理上りリンク制御チャネルリソースを使用して基地局装置へ送信する移動通信システムであって、前記移動局装置は、サービングセルの数と前記サービングセルにおける下りリンク送信モードに応じて、前記Ａ／Ｎを示す情報のビット数を決定し、前記決定したＡ/Ｎを示す情報のビット数に応じて、符号化されたＡ/Ｎを示す情報のビット数と符号化されたチャネル状態情報のビット数を決定し、前記符号化されたチャネル状態情報のビット数が所定の値を下回っている場合には、前記チャネル状態情報をドロップし、前記Ａ/Ｎを示す情報のみを前記物理上りリンク制御チャネルリソースを使用して前記基地局装置へ送信し、前記基地局装置は、前記Ａ/Ｎを示す情報のみを前記物理上りリンク制御チャネルリソースを使用して前記移動局装置から受信することを特徴としている。
【００１０】
（２）また、前記所定の値は、符号化前のチャネル状態情報のビット数に応じて決定されることを特徴としている。
【００１１】
（３）また、移動局装置が、Ａ/Ｎを示す情報とチャネル状態情報を単一の物理上りリンク制御チャネルリソースを使用して基地局装置へ送信する移動通信システムであって、前記移動局装置は、前記Ａ/Ｎを示す情報のビット数に応じて、符号化されたチャネル状態情報の第１のビット数を決定し、前記チャネル状態情報のビット数に応じて、符号化されたチャネル状態情報の第２のビット数を決定し、前記第１のビット数と前記第２のビット数とのうちの大きい値を、第３のビット数として選択し、符号化されたＡ/Ｎを示す情報と前記第３のビット数の符号化されたチャネル状態情報を前記物理上りリンク制御チャネルリソースを使用して前記基地局装置へ送信し、前記基地局装置は、前記符号化されたＡ/Ｎを示す情報と前記第３のビット数の符号化されたチャネル状態情報を前記物理上りリンク制御チャネルリソースを使用して前記移動局装置から受信することを特徴としている。
【００１２】
（４）また、移動局装置が、Ａ/Ｎを示す情報とチャネル状態情報を単一の物理上りリンク制御チャネルリソースを使用して基地局装置へ送信する移動通信システムであって、前記移動局装置は、サービングセルの数と前記サービングセルにおける下りリンク送信モードに応じて、前記Ａ／Ｎを示す情報のビット数を決定し、前記決定したＡ/Ｎを示す情報のビット数に応じて、符号化されたＡ/Ｎを示す情報のビット数と符号化されたチャネル状態情報のビット数を決定し、前記Ａ/Ｎを示す情報と前記チャネル状態情報を前記物理上りリンク制御チャネルリソースを使用して前記基地局装置へ送信し、前記基地局装置は、前記Ａ/Ｎを示す情報と前記チャネル状態情報を前記物理上りリンク制御チャネルリソースを使用して前記移動局装置から受信し、前記符号化されたＡ/Ｎを示す情報のビット数は、所定の値以下であることを特徴としている。
【００１３】
（５）また、前記所定の値は、物理上りリンクチャネルフォーマットで送信可能な符号化ビットの数に応じて決定されることを特徴としている。
【００１４】
（６）また、前記所定の値は、理上りリンクチャネルフォーマットで送信可能な符号化前のチャネル状態情報のビット数に応じて決定されることを特徴としている。
【００１５】
（７）また、前記所定の値は、前記Ａ/Ｎを示す情報の符号化に使用される符号化方式に応じて決定されることを特徴としている。
【００１６】
（８）また、移動局装置が、Ａ/Ｎを示す情報とチャネル状態情報を単一の物理上りリンク制御チャネルリソースを使用して基地局装置へ送信する移動通信システムであって、前記移動局装置は、サービングセルの数と前記サービングセルにおける下りリンク送信モードに応じて、前記Ａ／Ｎを示す情報のビット数を決定し、前記決定したＡ/Ｎを示す情報のビット数に応じて、符号化されたＡ/Ｎを示す情報のビット数と符号化されたチャネル状態情報のビット数を決定し、前記決定したビット数の符号化されたＡ／Ｎを示す情報と前記決定したビット数の符号化されたチャネル状態情報を連結した後に、２符号化ビット単位でインターリーブし、前記インターリーブされた前記Ａ/Ｎを示す情報と前記チャネル状態情報を前記物理上りリンク制御チャネルリソースを使用して前記基地局装置へ送信し、前記基地局装置は、前記インターリーブされた前記Ａ/Ｎを示す情報と前記チャネル状態情報を前記物理上りリンク制御チャネルリソースを使用して前記移動局装置から受信することを特徴としている。
【００１７】
（９）また、Ａ/Ｎを示す情報とチャネル状態情報を単一の物理上りリンク制御チャネルリソースを使用して移動局装置から受信する基地局装置であって、サービングセルの数と前記サービングセルにおける下りリンク送信モードに応じて、前記Ａ／Ｎを示す情報のビット数を決定し、前記決定したＡ/Ｎを示す情報のビット数に応じて、符号後のＡ/Ｎを示す情報のビット数と符号後のチャネル状態情報のビット数を決定し、前記符号後のチャネル状態情報のビット数が所定の値を下回っている場合には、前記Ａ/Ｎを示す情報のみを前記物理上りリンク制御チャネルリソースを使用して前記移動局装置から受信することを特徴としている。
【００１８】
（１０）また、Ａ/Ｎを示す情報とチャネル状態情報を単一の物理上りリンク制御チャネルリソースを使用して移動局装置から受信する基地局装置であって、前記Ａ/Ｎを示す情報のビット数に応じて、符号後のチャネル状態情報の第１のビット数を決定し、前記チャネル状態情報のビット数に応じて、符号化後のチャネル状態情報の第２のビット数を決定し、前記第１のビット数と前記第２のビット数とのうちの大きい値を、第３のビット数として選択し、符号化後のＡ/Ｎを示す情報と前記第３のビット数の符号化後のチャネル状態情報を前記物理上りリンク制御チャネルリソースを使用して前記移動局装置から受信することを特徴としている。
【００１９】
（１１）また、Ａ/Ｎを示す情報とチャネル状態情報を単一の物理上りリンク制御チャネルリソースを使用して移動局装置から受信する基地局装置であって、サービングセルの数と前記サービングセルにおける下りリンク送信モードに応じて、前記Ａ／Ｎを示す情報のビット数を決定し、前記決定したＡ/Ｎを示す情報のビット数に応じて、符号後のＡ/Ｎを示す情報のビット数と符号後のチャネル状態情報のビット数を決定し、前記Ａ/Ｎを示す情報と前記チャネル状態情報を前記物理上りリンク制御チャネルリソースを使用して前記移動局装置から受信し、前記符号後のＡ/Ｎを示す情報のビット数は、所定の値以下であることを特徴としている。
【００２０】
（１２）また、Ａ/Ｎを示す情報とチャネル状態情報を単一の物理上りリンク制御チャネルリソースを使用して移動局装置から受信する基地局装置であって、サービングセルの数と前記サービングセルにおける下りリンク送信モードに応じて、前記Ａ／Ｎを示す情報のビット数を決定し、前記決定したＡ/Ｎを示す情報のビット数に応じて、符号化されたＡ/Ｎを示す情報のビット数と符号化されたチャネル状態情報のビット数を決定し、前記決定したビット数の符号化されたＡ／Ｎを示す情報と前記決定したビット数の符号化されたチャネル状態情報を連結した後に、２符号化ビット単位でインターリーブし、前記インターリーブされた前記Ａ/Ｎを示す情報と前記チャネル状態情報を前記物理上りリンク制御チャネルリソースを使用して前記移動局装置から受信することを特徴としている。
【００２１】
（１３）また、Ａ/Ｎを示す情報とチャネル状態情報を単一の物理上りリンク制御チャネルリソースを使用して基地局装置へ送信する移動局装置であって、サービングセルの数と前記サービングセルにおける下りリンク送信モードに応じて、前記Ａ／Ｎを示す情報のビット数を決定し、前記決定したＡ/Ｎを示す情報のビット数に応じて、符号後のＡ/Ｎを示す情報のビット数と符号後のチャネル状態情報のビット数を決定し、前記符号後のチャネル状態情報のビット数が所定の値を下回っている場合には、前記チャネル状態情報をドロップし、前記Ａ/Ｎを示す情報のみを前記物理上りリンク制御チャネルリソースを使用して前記基地局装置へ送信することを特徴としている。
【００２２】
（１４）また、Ａ/Ｎを示す情報とチャネル状態情報を単一の物理上りリンク制御チャネルリソースを使用して基地局装置へ送信する移動局装置であって、前記Ａ/Ｎを示す情報のビット数に応じて、符号後のチャネル状態情報の第１のビット数を決定し、前記チャネル状態情報のビット数に応じて、符号化後のチャネル状態情報の第２のビット数を決定し、前記第１のビット数と前記第２のビット数とのうちの大きい値を、第３のビット数として選択し、符号化後のＡ/Ｎを示す情報と前記第３のビット数の符号化後のチャネル状態情報を前記物理上りリンク制御チャネルリソースを使用して前記基地局装置へ送信することを特徴としている。
【００２３】
（１５）また、Ａ/Ｎを示す情報とチャネル状態情報を単一の物理上りリンク制御チャネルリソースを使用して基地局装置へ送信する移動局装置であって、サービングセルの数と前記サービングセルにおける下りリンク送信モードに応じて、前記Ａ／Ｎを示す情報のビット数を決定し、前記決定したＡ/Ｎを示す情報のビット数に応じて、符号後のＡ/Ｎを示す情報のビット数と符号後のチャネル状態情報のビット数を決定し、前記Ａ/Ｎを示す情報と前記チャネル状態情報を前記物理上りリンク制御チャネルリソースを使用して前記基地局装置へ送信し、前記符号後のＡ/Ｎを示す情報のビット数は、所定の値以下であることを特徴としている。
【００２４】
（１６）また、Ａ/Ｎを示す情報とチャネル状態情報を単一の物理上りリンク制御チャネルリソースを使用して基地局装置へ送信する移動局装置であって、サービングセルの数と前記サービングセルにおける下りリンク送信モードに応じて、前記Ａ／Ｎを示す情報のビット数を決定し、前記決定したＡ/Ｎを示す情報のビット数に応じて、符号化されたＡ/Ｎを示す情報のビット数と符号化されたチャネル状態情報のビット数を決定し、前記決定したビット数の符号化されたＡ／Ｎを示す情報と前記決定したビット数の符号化されたチャネル状態情報を連結した後に、２符号化ビット単位でインターリーブし、前記インターリーブされた前記Ａ/Ｎを示す情報と前記チャネル状態情報を前記物理上りリンク制御チャネルリソースを使用して前記基地局装置へ送信することを特徴としている。
【００２５】
（１７）また、Ａ/Ｎを示す情報とチャネル状態情報を単一の物理上りリンク制御チャネルリソースを使用して移動局装置から受信する基地局装置の通信方法であって、サービングセルの数と前記サービングセルにおける下りリンク送信モードに応じて、前記Ａ／Ｎを示す情報のビット数を決定し、前記決定したＡ/Ｎを示す情報のビット数に応じて、符号後のＡ/Ｎを示す情報のビット数と符号後のチャネル状態情報のビット数を決定し、前記符号後のチャネル状態情報のビット数が所定の値を下回っている場合には、前記Ａ/Ｎを示す情報のみを前記物理上りリンク制御チャネルリソースを使用して前記移動局装置から受信することを特徴としている。
【００２６】
（１８）また、Ａ/Ｎを示す情報とチャネル状態情報を単一の物理上りリンク制御チャネルリソースを使用して移動局装置から受信する基地局装置の通信方法であって、前記Ａ/Ｎを示す情報のビット数に応じて、符号後のチャネル状態情報の第１のビット数を決定し、前記チャネル状態情報のビット数に応じて、符号化後のチャネル状態情報の第２のビット数を決定し、前記第１のビット数と前記第２のビット数とのうちの大きい値を、第３のビット数として選択し、符号化後のＡ/Ｎを示す情報と前記第３のビット数の符号化後のチャネル状態情報を前記物理上りリンク制御チャネルリソースを使用して前記移動局装置から受信することを特徴としている。
【００２７】
（１９）また、Ａ/Ｎを示す情報とチャネル状態情報を単一の物理上りリンク制御チャネルリソースを使用して移動局装置から受信する基地局装置の通信方法であって、サービングセルの数と前記サービングセルにおける下りリンク送信モードに応じて、前記Ａ／Ｎを示す情報のビット数を決定し、前記決定したＡ/Ｎを示す情報のビット数に応じて、符号後のＡ/Ｎを示す情報のビット数と符号後のチャネル状態情報のビット数を決定し、前記Ａ/Ｎを示す情報と前記チャネル状態情報を前記物理上りリンク制御チャネルリソースを使用して前記移動局装置から受信し、前記符号後のＡ/Ｎを示す情報のビット数は、所定の値以下であることを特徴としている。
【００２８】
（２０）また、Ａ/Ｎを示す情報とチャネル状態情報を単一の物理上りリンク制御チャネルリソースを使用して移動局装置から受信する基地局装置の通信方法であって、サービングセルの数と前記サービングセルにおける下りリンク送信モードに応じて、前記Ａ／Ｎを示す情報のビット数を決定し、前記決定したＡ/Ｎを示す情報のビット数に応じて、符号化されたＡ/Ｎを示す情報のビット数と符号化されたチャネル状態情報のビット数を決定し、前記決定したビット数の符号化されたＡ／Ｎを示す情報と前記決定したビット数の符号化されたチャネル状態情報を連結した後に、２符号化ビット単位でインターリーブし、前記インターリーブされた前記Ａ/Ｎを示す情報と前記チャネル状態情報を前記物理上りリンク制御チャネルリソースを使用して前記移動局装置から受信することを特徴としている。
【００２９】
（２１）また、Ａ/Ｎを示す情報とチャネル状態情報を単一の物理上りリンク制御チャネルリソースを使用して基地局装置へ送信する移動局装置の通信方法であって、サービングセルの数と前記サービングセルにおける下りリンク送信モードに応じて、前記Ａ／Ｎを示す情報のビット数を決定し、前記決定したＡ/Ｎを示す情報のビット数に応じて、符号後のＡ/Ｎを示す情報のビット数と符号後のチャネル状態情報のビット数を決定し、前記符号後のチャネル状態情報のビット数が所定の値を下回っている場合には、前記チャネル状態情報をドロップし、前記Ａ/Ｎを示す情報のみを前記物理上りリンク制御チャネルリソースを使用して前記基地局装置へ送信することを特徴としている。
【００３０】
（２２）また、Ａ/Ｎを示す情報とチャネル状態情報を単一の物理上りリンク制御チャネルリソースを使用して基地局装置へ送信する移動局装置の通信方法であって、前記Ａ/Ｎを示す情報のビット数に応じて、符号後のチャネル状態情報の第１のビット数を決定し、前記チャネル状態情報のビット数に応じて、符号化後のチャネル状態情報の第２のビット数を決定し、前記第１のビット数と前記第２のビット数とのうちの大きい値を、第３のビット数として選択し、符号化後のＡ/Ｎを示す情報と前記第３のビット数の符号化後のチャネル状態情報を前記物理上りリンク制御チャネルリソースを使用して前記基地局装置へ送信することを特徴としている。
【００３１】
（２３）また、Ａ/Ｎを示す情報とチャネル状態情報を単一の物理上りリンク制御チャネルリソースを使用して基地局装置へ送信する移動局装置の通信方法であって、サービングセルの数と前記サービングセルにおける下りリンク送信モードに応じて、前記Ａ／Ｎを示す情報のビット数を決定し、前記決定したＡ/Ｎを示す情報のビット数に応じて、符号後のＡ/Ｎを示す情報のビット数と符号後のチャネル状態情報のビット数を決定し、前記Ａ/Ｎを示す情報と前記チャネル状態情報を、前記物理上りリンク制御チャネルリソースを使用して前記基地局装置へ送信し、前記符号後のＡ/Ｎを示す情報のビット数は、所定の値以下であることを特徴としている。
【００３２】
（２４）また、Ａ/Ｎを示す情報とチャネル状態情報を単一の物理上りリンク制御チャネルリソースを使用して基地局装置へ送信する移動局装置の通信方法であって、サービングセルの数と前記サービングセルにおける下りリンク送信モードに応じて、前記Ａ／Ｎを示す情報のビット数を決定し、前記決定したＡ/Ｎを示す情報のビット数に応じて、符号化されたＡ/Ｎを示す情報のビット数と符号化されたチャネル状態情報のビット数を決定し、前記決定したビット数の符号化されたＡ／Ｎを示す情報と前記決定したビット数の符号化されたチャネル状態情報を連結した後に、２符号化ビット単位でインターリーブし、前記インターリーブされた前記Ａ/Ｎを示す情報と前記チャネル状態情報を前記物理上りリンク制御チャネルリソースを使用して前記基地局装置へ送信することを特徴としている。
【発明の効果】
【００３３】
本発明によれば、Ａ／Ｎを示す情報および／またはＣＳＩに対する品質を柔軟に制御することができる。
【図面の簡単な説明】
【００３４】
【図１】本実施形態に係る物理チャネルの構成を概念的に示す図である。
【図２】本実施形態に係る基地局装置の概略構成を示すブロック図である。
【図３】本実施形態に係る移動局装置の概略構成を示すブロック図である。
【図４】本実施形態が適用可能な移動通信システムの例を示す図である。
【図５】本実施形態に係るコーディング方法を説明する図である。
【図６】リードマラーエンコーダーのコードワードの一例を示す図である。
【図７】本実施形態を説明する図である。
【図８】本実施形態を説明する別の図である。
【図９】本実施形態を説明する別の図である。
【図１０】インターリーブの方法を説明する別の図である。
【発明を実施するための形態】
【００３５】
次に、本発明に係る実施形態について、図面を参照しながら説明する。図１は、本
実施形態に係る物理チャネルの一構成例を示す図である。ここで、物理チャネル（物理リソースブロック）は、時間領域、周波数領域によって定義される。
【００３６】
図１に示すように、下りリンクの物理チャネルには、物理下りリンク制御チャネル（ＰＤＣＣＨ：Physical Downlink Control Channel）、物理下りリンク共用チャネル（ＰＤＳＣＨ：Physical Downlink Shared Channel）などが含まれる。また、上りリンクの物理チャネルには、物理上りリンク共用チャネル（ＰＵＳＣＨ：Physical Uplink Shared Channel）、物理上りリンク制御チャネル（ＰＵＣＣＨ：Physical Uplink Control Channel）などが含まれる。
【００３７】
ここで、ＰＤＣＣＨは、下りリンクのスケジューリング情報（下りリンクアサインメント：downlink assignment）や上りリンクのスケジューリング情報（上りリンクグラント：uplink grant）などの下りリンク制御情報（ＤＣＩ：Downlink Control Information）を送信（通知、指定）するために使用される物理チャネルである。ここで、下りリンク制御情報の送信に対して、複数のフォーマットが定義される。また、下りリンク制御情報の送信に使用されるフォーマットは、ＤＣＩフォーマット（Downlink Control Information format）とも呼称される。
【００３８】
例えば、ＤＣＩフォーマット１は、（シングルアンテナポート送信モード）での１つの下りリンクセルにおける１つのＰＤＳＣＨのスケジューリングに使用される。また、ＤＣＩフォーマット２は、マルチアンテナポートモードでの１つの下りリンクセルにおける１つのＰＤＳＣＨのスケジューリングに使用される。すなわち、ＤＣＩフォーマット１およびＤＣＩフォーマット２は、ＰＤＳＣＨのスケジューリングに使用される下りリンクアサインメントである。
【００３９】
すなわち、例えば、ＤＣＩフォーマット１やＤＣＩフォーマット２には、ＰＤＳＣＨに対するリソース割り当て情報（Resource block assignment）、ＰＤＳＣＨ（ＰＤＳＣＨで送信される下りリンクトランスポートブロック）に対する変調方式および符号化率に関する情報（ＭＣＳ：Modulation and Coding Scheme）などの情報フィールド（情報ビットへマップされるフィールド、ビットフィールドとも呼称される）が定義される。ここで、ある１つの下りリンクアサインメントには、あるセルにおける１つのＰＤＳＣＨに対するスケジューリング情報が含まれる。
【００４０】
また、例えば、ＤＣＩフォーマット０は、（シングルアンテナポート送信モードでの）１つの上りリンクセルにおける１つのＰＵＳＣＨのスケジューリングに使用される。また、ＤＣＩフォーマット４は、マルチアンテナポートモードでの１つの上りリンクセルにおける１つのＰＵＳＣＨのスケジューリングに使用される。すなわち、ＤＣＩフォーマット０およびＤＣＩフォーマット４は、ＰＵＳＣＨのスケジューリングに使用される上りリンクグラントである。
【００４１】
すなわち、例えば、ＤＣＩフォーマット０やＤＣＩフォーマット４には、ＰＵＳＣＨに対するリソース割り当て情報（Resource block assignment）、ＰＵＳＣＨ（ＰＵＳＣＨで送信される上りリンクトランスポートブロック）に対する変調方式および符号化率に関する情報（ＭＣＳ：Modulation and Coding Scheme）などの情報フィールドが定義される。ここで、ある１つの上りリンクアサインメントには、あるセルにおける１つのＰＵＳＣＨに対するスケジューリング情報が含まれる。
【００４２】
移動局装置は、自装置宛のＰＤＣＣＨで、ＰＤＳＣＨのリソース割り当てが送信された場合には、指示されたリソース割り当てに応じて、ＰＤＳＣＨを使用して、下りリンク信号（下りリンクデータ（下りリンク共用チャネル（ＤＬ−ＳＣＨ：Downlink Shared Channel）に対するトランスポートブロック）および／または下りリンク制御データ（下りリンク制御情報）を受信する。
【００４３】
また、移動局装置は、自装置宛のＰＤＣＣＨで、ＰＵＳＣＨのリソース割り当てが送信された場合には、指示されたリソース割り当てに応じて、ＰＵＳＣＨを使用して、上りリンク信号（上りリンクデータ（上りリンク共用チャネル（ＵＬ−ＳＣＨ：Uplink Shared Channel）に対するトランスポートブロック）および／または上りリンク制御データ（上りリンク制御情報）を送信する。
【００４４】
また、ＰＤＳＣＨは、下りリンクデータ（下りリンク共用チャネル（ＤＬ−ＳＣＨ）に対するトランスポートブロック）またはページング情報（ページングチャネル（ＰＣＨ：Paging Channel）に対するトランスポートブロック）を送信するために使用されるチャネルである。基地局装置は、ＰＤＣＣＨによって割り当てたＰＤＳＣＨを使用して、下りリンクデータを移動局装置へ送信する。
【００４５】
ここで、下りリンクデータとは、例えば、ユーザーデータを示しており、ＤＬ−ＳＣＨは、トランスポートチャネルである。ここで、下りリンクトランスポートブロックは、ＭＡＣ（Medium Access Control）層で取り扱われる単位である。また、下りリンクトランスポートブロックは、物理層（Physical layer）において、コードワードに対応付けられる。すなわち、下りリンクトランスポートブロックは、ＭＡＣ層から物理層へ供給される（deliverされる）データの単位である。
【００４６】
さらに、ＰＵＳＣＨは、主に、上りリンクデータ（上りリンク共用チャネル（ＵＬ−ＳＣＨ）に対するトランスポートブロック）を送信するために使用される物理チャネルである。移動局装置は、ＰＤＣＣＨによって割り当てられたＰＵＳＣＨを使用して、上りリンクデータを基地局装置へ送信する。また、基地局装置が、移動局装置をスケジューリングした場合には、上りリンク制御情報（ＵＣＩ：Uplink Control Information）もＰＵＳＣＨを使用して送信される。
【００４７】
ここで、上りリンクデータとは、例えば、ユーザーデータを示しており、ＵＬ−ＳＣＨは、トランスポートチャネルである。ここで、上りリンクトランスポートブロックは、ＭＡＣ層で取り扱われる単位である。また、上りリンクトランスポートブロックは、物理層において、コードワードに対応付けられる。すなわち、上りリンクトランスポートブロックは、ＭＡＣ層から物理層へ供給される（deliverされる）データの単位である。
【００４８】
また、ＰＵＣＣＨは、上りリンク制御情報（ＵＣＩ）を送信するために使用される物理チャネルである。ここで、上りリンク制御情報には、下りリンクデータ（下りリンクトランスポートブロック）に対するＡ／Ｎを示す情報が含まれる。また、上りリンク制御情報には、下りリンク信号に対するチャネル状態情報（ＣＳＩ）が含まれる。さらに、ＣＳＩには、チャネル品質識別子（ＣＱＩ：Channel Quality Indicator）や、プレコーディングマトリックス識別子（ＰＭＩ：Pre-coding Matrix Indicator）や、ランク識別子（ＲＩ：Rank Indication）が含まれる。また、上りリンク制御情報には、移動局装置が上りリンクデータを送信するためのリソースの割り当てを要求するために使用されるスケジューリングリクエスト（ＳＲ：Scheduling Request）が含まれる。
【００４９】
ここで、ＰＵＣＣＨに対して、複数のフォーマットが定義（サポート）される。また、ＰＵＣＣＨに対してサポートされるフォーマットは、ＰＵＣＣＨフォーマットとも呼称される。
【００５０】
例えば、ＰＵＣＣＨフォーマット１（ＰＵＣＣＨフォーマット１ａ／１ｂ）では、適用される変調方式としてＢＰＳＫまたはＱＰＳＫがサポートされる。また、ＰＵＣＣＨフォーマット１（ＰＵＣＣＨフォーマット１ａ／１ｂ）では、サブフレーム辺りに送信可能なビット数（符号化されたビット数）として１ビットまたは２ビットがサポートされる。
【００５１】
また、例えば、ＰＵＣＣＨフォーマット２（ＰＵＣＣＨフォーマット２ａ／２ｂ）では、適用される変調方式としてＢＰＳＫまたはＱＰＳＫがサポートされる。また、ＰＵＣＣＨフォーマット２（ＰＵＣＣＨフォーマット２ａ／２ｂ）では、サブフレーム辺りに送信可能なビット数（符号化されたビット数）として２０ビットまたは２１ビットまたは２２ビットがサポートされる。
【００５２】
さらに、例えば、ＰＵＣＣＨフォーマット３では、適用される変調方式としてＱＰＳＫがサポートされる。また、ＰＵＣＣＨフォーマット３では、サブフレーム辺りに送信可能なビット数（符号化されたビット数）として４８ビットがサポートされる。
【００５３】
ここで、例えば、ＰＵＣＣＨフォーマット１（ＰＵＣＣＨフォーマット１ａ／１ｂ）を使用して、Ａ／Ｎを示す情報および／またはＳＲが送信される。また、ＰＵＣＣＨフォーマット２（ＰＵＣＣＨフォーマット２ａ／２ｂ）を使用して、Ａ／Ｎを示す情報および／またはＣＳＩが送信される。また、ＰＵＣＣＨフォーマット３を使用して、Ａ／Ｎを示す情報および／またはＣＳＩおよび／またはＳＲが送信される。
【００５４】
さらに、基地局装置と移動局装置は、上位層（Higher layer）において信号をやり取り（送受信）する。例えば、基地局装置と移動局装置は、無線リソース制御（ＲＲＣ：Radio Resource Control）層において、無線リソース制御信号（ＲＲＣシグナリング：Radio Resource Control signaling、ＲＲＣメッセージ：Radio Resource Control messageとも呼称される）を送受信する。
【００５５】
ここで、ＲＲＣ層において、基地局装置によって、ある移動局装置に対して送信される専用の信号はdedicated signalingとも呼称される。また、基地局装置と移動局装置は、ＭＡＣ（Medium Access Control）層において、ＭＡＣコントロールエレメントを送受信する。ここで、ＲＲＣシグナリングおよび／またはＭＡＣコントロールエレメントは、上位層の信号（Higher layer signaling）とも呼称される。
【００５６】
［基地局装置の構成］
図２は、本実施形態に係る基地局装置１００の概略構成を示すブロック図である。基地局装置１００は、データ制御部１０１と、送信データ変調部１０２と、無線部１０３と、スケジューリング部１０４と、チャネル推定部１０５と、受信データ復調部１０６と、データ抽出部１０７と、上位層１０８と、アンテナ１０９と、を含んで構成される。また、無線部１０３、スケジューリング部１０４、チャネル推定部１０５、受信データ復調部１０６、データ抽出部１０７、上位層１０８およびアンテナ１０９で受信部を構成し、データ制御部１０１、送信データ変調部１０２、無線部１０３、スケジューリング部１０４、上位層１０８およびアンテナ１０９で送信部を構成している。ここで、基地局装置１００を構成する各部を、ユニットとも呼称する。
【００５７】
アンテナ１０９、無線部１０３、チャネル推定部１０５、受信データ復調部１０６、データ抽出部１０７で上りリンクの物理層の処理を行なう。アンテナ１０９、無線部１０３、送信データ変調部１０２、データ制御部１０１で下りリンクの物理層の処理を行なう。
【００５８】
データ制御部１０１は、スケジューリング部１０４からトランスポートチャネルを受信する。データ制御部１０１は、トランスポートチャネルと、物理層で生成される信号およびチャネルを、スケジューリング部１０４から入力されるスケジューリング情報に基づいて、物理チャネルにマッピングする。以上のようにマッピングされた各データは、送信データ変調部１０２へ出力される。
【００５９】
送信データ変調部１０２は、送信データをＯＦＤＭ方式に変調する。送信データ変調部１０２は、データ制御部１０１から入力されたデータに対して、スケジューリング部１０４からのスケジューリング情報や、各物理リソースブロック（ＰＲＢ：Physical Resource Block）に対応する変調方式および符号化方式に基づいて、コーディング、入力信号の直列／並列変換、ＩＦＦＴ（逆高速フーリエ変換：Inverse Fast Fourier Transform）処理、ＣＰ（Cyclic Prefix）挿入、並びに、フィルタリングなどの信号処理を行ない、送信データを生成して、無線部１０３へ出力する。
【００６０】
ここで、スケジューリング情報には、ＰＲＢ割り当て情報、例えば、周波数、時間によって構成されるＰＲＢの位置情報が含まれ、各ＰＲＢに対応する変調方式および符号化方式には、例えば、変調方式：１６ＱＡＭ、符号化率：２／３コーディングレートなどの情報が含まれる。
【００６１】
無線部１０３は、送信データ変調部１０２から入力された変調データを無線周波数にアップコンバートして無線信号を生成し、アンテナ１０９を介して、移動局装置２００に送信する。また、無線部１０３は、移動局装置２００からの上りリンクの無線信号を、アンテナ１０９を介して受信し、ベースバンド信号にダウンコンバートして、受信データをチャネル推定部１０５と受信データ復調部１０６とに出力する。
【００６２】
スケジューリング部１０４は、ＭＡＣ層の処理を行なう。スケジューリング部１０４は、論理チャネルとトランスポートチャネルのマッピング、下りリンクおよび上りリンクのスケジューリング（ＨＡＲＱ処理、トランスポートフォーマットの選択など）などを行なう。スケジューリング部１０４は、各物理層の処理部を統合して制御するため、スケジューリング部１０４と、アンテナ１０９、無線部１０３、チャネル推定部１０５、受信データ復調部１０６、データ制御部１０１、送信データ変調部１０２およびデータ抽出部１０７との間のインターフェースが存在する。
【００６３】
スケジューリング部１０４は、下りリンクのスケジューリングでは、移動局装置２００から受信した上りリンク制御情報や、各移動局装置２００において使用可能なＰＲＢの情報や、バッファ状況や、上位層１０８から入力されたスケジューリング情報などに基づいて、各データを変調するための下りリンクのトランスポートフォーマット（送信形態、すなわち、ＰＲＢの割り当てや変調方式や符号化方式）の選定処理およびＨＡＲＱにおける再送制御および下りリンクに使用されるスケジューリング情報の生成を行なう。これら下りリンクのスケジューリングに使用されるスケジューリング情報は、データ制御部１０１へ出力される。
【００６４】
また、スケジューリング部１０４は、上りリンクのスケジューリングでは、チャネル推定部１０５が出力する上りリンクのチャネル状態（無線伝搬路状態）の推定結果、移動局装置２００からのリソース割り当て要求、各移動局装置２００において使用可能なＰＲＢの情報、上位層１０８から入力されたスケジューリング情報などに基づいて、各データを変調するための上りリンクのトランスポートフォーマット（送信形態、すなわち、ＰＲＢの割り当てや変調方式や符号化方式など）の選定処理および上りリンクのスケジューリングに使用されるスケジューリング情報の生成を行なう。これら上りリンクのスケジューリングに使用されるスケジューリング情報は、データ制御部１０１へ出力される。
【００６５】
また、スケジューリング部１０４は、上位層１０８から入力された下りリンクの論理チャネルをトランスポートチャネルにマッピングし、データ制御部１０１へ出力する。また、スケジューリング部１０４は、データ抽出部１０７から入力された上りリンクで取得した制御データとトランスポートチャンネルを、必要に応じて処理した後、上りリンクの論理チャネルにマッピングし、上位層１０８へ出力する。
【００６６】
チャネル推定部１０５は、上りリンクデータの復調のために、上りリンク復調用参照信号（ＵＤＲＳ：Uplink Demodulation Reference Signal）から上りリンクのチャネル状態を推定し、その推定結果を受信データ復調部１０６に出力する。また、上りリンクのスケジューリングを行なうために、上りリンク測定用参照信号（ＳＲＳ：Sounding Reference Signal）から上りリンクのチャネル状態を推定し、その推定結果をスケジューリング部１０４に出力する。
【００６７】
受信データ復調部１０６は、ＯＦＤＭ方式および／またはＳＣ−ＦＤＭＡ方式に変調された受信データを復調するＯＦＤＭ復調部および／またはＤＦＴ−Ｓｐｒｅａｄ−ＯＦＤＭ（ＤＦＴ−Ｓ−ＯＦＤＭ）復調部を兼ねている。受信データ復調部１０６は、チャネル推定部１０５から入力された上りリンクのチャネル状態推定結果に基づいて、無線部１０３から入力された変調データに対し、ＤＦＴ変換、サブキャリアマッピング、ＩＦＦＴ変換、フィルタリング等の信号処理を行なって、復調処理を施し、データ抽出部１０７に出力する。
【００６８】
データ抽出部１０７は、受信データ復調部１０６から入力されたデータに対して、正誤を確認するとともに、確認結果（ＡＣＫまたはＮＡＣＫ）をスケジューリング部１０４に出力する。また、データ抽出部１０７は、受信データ復調部１０６から入力されたデータからトランスポートチャネルと物理層の制御データとに分離して、スケジューリング部１０４に出力する。分離された制御データには、移動局装置２００から送信されたＣＳＩやＨＡＲＱにおける制御情報やスケジューリングリクエストなどが含まれている。
【００６９】
上位層１０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行なう。上位層１０８は、下位層の処理部を統合して制御するため、上位層１０８と、スケジューリング部１０４、アンテナ１０９、無線部１０３、チャネル推定部１０５、受信データ復調部１０６、データ制御部１０１、送信データ変調部１０２およびデータ抽出部１０７との間のインターフェースが存在する。
【００７０】
上位層１０８は、無線リソース制御部１１０（制御部とも呼称される）を有している。また、無線リソース制御部１１０は、各種設定情報の管理、システム情報の管理、ページング制御、各移動局装置２００の通信状態の管理、ハンドオーバーなどの移動管理、移動局装置２００ごとのバッファ状況の管理、ユニキャストおよびマルチキャストベアラの接続設定の管理、移動局識別子（ＵＥＩＤ）の管理などを行なっている。上位層１０８は、別の基地局装置１００への情報および上位ノードへの情報の授受を行なう。
【００７１】
［移動局装置の構成］
図３は、本実施形態に係る移動局装置２００の概略構成を示すブロック図である。移動局装置２００は、データ制御部２０１と、送信データ変調部２０２と、無線部２０３と、スケジューリング部２０４と、チャネル推定部２０５と、受信データ復調部２０６と、データ抽出部２０７と、上位層２０８、アンテナ２０９と、を含んで構成されている。また、データ制御部２０１、送信データ変調部２０２、無線部２０３、スケジューリング部２０４、上位層２０８、アンテナ２０９で送信部を構成し、無線部２０３、スケジューリング部２０４、チャネル推定部２０５、受信データ復調部２０６、データ抽出部２０７、上位層２０８、アンテナ２０９で受信部を構成している。ここで、移動局装置２００を構成する各部を、ユニットとも呼称する。
【００７２】
データ制御部２０１、送信データ変調部２０２、無線部２０３、で上りリンクの物理層の処理を行なう。無線部２０３、チャネル推定部２０５、受信データ復調部２０６、データ抽出部２０７、で下りリンクの物理層の処理を行なう。
【００７３】
データ制御部２０１は、スケジューリング部２０４からトランスポートチャネルを受信する。トランスポートチャネルと、物理層で生成される信号およびチャネルを、スケジューリング部２０４から入力されるスケジューリング情報に基づいて、物理チャネルにマッピングする。このようにマッピングされた各データは、送信データ変調部２０２へ出力される。
【００７４】
送信データ変調部２０２は、送信データをＯＦＤＭ方式および／またはＳＣ−ＦＤＭＡ方式に変調する。送信データ変調部２０２は、データ制御部２０１から入力されたデータに対し、データ変調、ＤＦＴ（離散フーリエ変換）処理、サブキャリアマッピング、ＩＦＦＴ（逆高速フーリエ変換）処理、ＣＰ挿入、フィルタリングなどの信号処理を行ない、送信データを生成して、無線部２０３へ出力する。
【００７５】
無線部２０３は、送信データ変調部２０２から入力された変調データを無線周波数にアップコンバートして無線信号を生成し、アンテナ２０９を介して、基地局装置１００に送信する。また、無線部２０３は、基地局装置１００からの下りリンクのデータで変調された無線信号を、アンテナ２０９を介して受信し、ベースバンド信号にダウンコンバートして、受信データを、チャネル推定部２０５および受信データ復調部２０６に出力する。
【００７６】
スケジューリング部２０４は、ＭＡＣ層の処理を行なう。スケジューリング部１０４は、論理チャネルとトランスポートチャネルのマッピング、下りリンクおよび上りリンクのスケジューリング（ＨＡＲＱ処理、トランスポートフォーマットの選択など）などを行なう。スケジューリング部２０４は、各物理層の処理部を統合して制御するため、スケジューリング部２０４と、アンテナ２０９、データ制御部２０１、送信データ変調部２０２、チャネル推定部２０５、受信データ復調部２０６、データ抽出部２０７および無線部２０３との間のインターフェースが存在する。
【００７７】
スケジューリング部２０４は、下りリンクのスケジューリングでは、基地局装置１００や上位層２０８からのスケジューリング情報（トランスポートフォーマットやＨＡＲＱ再送情報）などに基づいて、トランスポートチャネルおよび物理信号および物理チャネルの受信制御、ＨＡＲＱ再送制御および下りリンクのスケジューリングに使用されるスケジューリング情報の生成を行なう。これら下りリンクのスケジューリングに使用されるスケジューリング情報は、データ制御部２０１へ出力される。
【００７８】
スケジューリング部２０４は、上りリンクのスケジューリングでは、上位層２０８から入力された上りリンクのバッファ状況、データ抽出部２０７から入力された基地局装置１００からの上りリンクのスケジューリング情報（トランスポートフォーマットやＨＡＲＱ再送情報など）、および、上位層２０８から入力されたスケジューリング情報などに基づいて、上位層２０８から入力された上りリンクの論理チャネルをトランスポートチャネルにマッピングするためのスケジューリング処理および上りリンクのスケジューリングに使用されるスケジューリング情報の生成を行なう。なお、上りリンクのトランスポートフォーマットについては、基地局装置１００から通知された情報を利用する。これらスケジューリング情報は、データ制御部２０１へ出力される。
【００７９】
また、スケジューリング部２０４は、上位層２０８から入力された上りリンクの論理チャネルをトランスポートチャネルにマッピングし、データ制御部２０１へ出力する。また、スケジューリング部２０４は、チャネル推定部２０５から入力されたチャネル状態情報や、データ抽出部２０７から入力されたＣＲＣ（Cyclic Redundancy Check）の確認結果についても、データ制御部２０１へ出力する。また、スケジューリング部２０４は、データ抽出部２０７から入力された下りリンクで取得した制御データとトランスポートチャネルを、必要に応じて処理した後、下りリンクの論理チャネルにマッピングし、上位層２０８へ出力する。
【００８０】
チャネル推定部２０５は、下りリンクデータの復調のために、下りリンク参照信号から下りリンクのチャネル状態を推定し、その推定結果を受信データ復調部２０６に出力する。また、チャネル推定部２０５は、基地局装置１００に下りリンクのチャネル状態の推定結果を通知するために、下りリンク参照信号から下りリンクのチャネル状態を推定し、この推定結果を、チャネル状態情報として、スケジューリング部２０４に出力する。
【００８１】
受信データ復調部２０６は、ＯＦＤＭ方式に変調された受信データを復調する。受信データ復調部２０６は、チャネル推定部２０５から入力された下りリンクのチャネル状態推定結果に基づいて、無線部２０３から入力された変調データに対して、復調処理を施し、データ抽出部２０７に出力する。
【００８２】
データ抽出部２０７は、受信データ復調部２０６から入力されたデータに対して、ＣＲＣを行ない、正誤を確認するとともに、確認結果（ＡＣＫまたはＮＡＣＫを示す情報）をスケジューリング部２０４に出力する。また、データ抽出部２０７は、受信データ復調部２０６から入力されたデータからトランスポートチャネルと物理層の制御データに分離して、スケジューリング部２０４に出力する。分離された制御データには、下りリンクまたは上りリンクのリソース割り当てや上りリンクのＨＡＲＱ制御情報などのスケジューリング情報が含まれている。
【００８３】
上位層２０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行なう。上位層２０８は、下位層の処理部を統合して制御するため、上位層２０８と、スケジューリング部２０４、アンテナ２０９、データ制御部２０１、送信データ変調部２０２、チャネル推定部２０５、受信データ復調部２０６、データ抽出部２０７および無線部２０３との間のインターフェースが存在する。
【００８４】
上位層２０８は、無線リソース制御部２１０（制御部とも呼称される）を有している。無線リソース制御部２１０は、各種設定情報の管理、システム情報の管理、ページング制御、自局の通信状態の管理、ハンドオーバーなどの移動管理、バッファ状況の管理、ユニキャストおよびマルチキャストベアラの接続設定の管理、移動局識別子（ＵＥＩＤ）の管理を行なう。
【００８５】
（第１の実施形態）
次に、基地局装置１００および移動局装置２００を用いた移動通信システムにおける本実施形態を説明する。本実施形態において、移動局装置は、サービングセルの数とサービングセルにおける下りリンク送信モードに応じて、Ａ／Ｎを示す情報のビット数を決定し、決定したＡ/Ｎを示す情報のビット数に応じて、符号化されたＡ/Ｎを示す情報のビット数と符号化されたＣＳＩのビット数を決定し、符号化されたＣＳＩのビット数が所定の値を下回っている場合には、ＣＳＩをドロップし、Ａ/Ｎを示す情報のみをＰＵＣＣＨリソースを使用して基地局装置へ送信し、基地局装置は、Ａ/Ｎを示す情報のみをＰＵＣＣＵリソースを使用して移動局装置から受信する。ここで、所定の値は、符号化前のＣＳＩのビット数に応じて決定される。
【００８６】
また、移動局装置は、Ａ/Ｎを示す情報のビット数に応じて、符号化されたＣＳＩの第１のビット数を決定し、ＣＳＩのビット数に応じて、符号化されたＣＳＩの第２のビット数を決定し、第１のビット数と第２のビット数とのうちの大きい値を、第３のビット数として選択し、符号化されたＡ/Ｎを示す情報と第３のビット数の符号化されたＣＳＩを、ＰＵＣＣＨリソースを使用して基地局装置へ送信し、基地局装置は、符号化されたＡ/Ｎを示す情報と第３のビット数の符号化されたＣＳＩを、ＰＵＣＣＨリソースを使用して移動局装置から受信する。
【００８７】
また、移動局装置は、サービングセルの数とサービングセルにおける下りリンク送信モードに応じて、Ａ／Ｎを示す情報のビット数を決定し、決定したＡ/Ｎを示す情報のビット数に応じて、符号化されたＡ/Ｎを示す情報のビット数と符号化されたＣＳＩのビット数を決定し、Ａ/Ｎを示す情報とＣＳＩを、ＰＵＣＣＨリソースを使用して基地局装置へ送信し、基地局装置は、Ａ/Ｎを示す情報とＣＳＩを、ＰＵＣＣＨリソースを使用して移動局装置から受信し、この際、符号化されたＡ/Ｎを示す情報のビット数は、所定の値以下である。ここで、所定の値は、ＰＵＣＣＨリソース（ＰＵＣＣＨフォーマットでも良い）フォーマットで送信可能な符号化ビットの数に応じて決定される。また、所定の値は、ＰＵＣＣＨリソース（ＰＵＣＣＨフォーマットでも良い）フォーマットで送信可能な符号化前のＣＳＩのビット数に応じて決定される。また、所定の値は、Ａ/Ｎを示す情報の符号化に使用される符号化方式に応じて決定される。
【００８８】
また、移動局装置は、サービングセルの数とサービングセルにおける下りリンク送信モードに応じて、Ａ／Ｎを示す情報のビット数を決定し、決定したＡ/Ｎを示す情報のビット数に応じて、符号化されたＡ/Ｎを示す情報のビット数と符号化されたＣＳＩのビット数を決定し、決定したビット数の符号化されたＡ／Ｎを示す情報と決定したビット数の符号化されたＣＳＩを連結した後に、２符号化ビット単位でインターリーブし、インターリーブされたＡ/Ｎを示す情報とＣＳＩを、ＰＵＣＣＨリソースを使用して基地局装置へ送信し、基地局装置は、インターリーブされたＡ/Ｎを示す情報とＣＳＩを、ＰＵＣＣＨリソースを使用して移動局装置から受信する。
【００８９】
［セル集約（キャリア集約）について］
図４は、本実施形態に係るセル集約（または、キャリア集約）を説明する図である。本実施形態において、セル集約は、上りリンクと下りリンクでサポートされ、例えば、各サービングセルは１１０リソースブロックまでの送信帯域幅を持つことができる。
【００９０】
図４は、３つのサービングセル（サービングセル１、サービングセル２、サービングセル３）が集約されていることを示している。ここで、下りリンクにおけるサービングセルは、下りリンクセルとも呼称される。また、上りリンクにおけるサービングセルは、上りリンクセルとも呼称される。
【００９１】
ここで、本実施形態に係る移動通信システム（基地局装置と移動局装置）では、ＦＤＤ（Frequency Division Duplex）および／またはＴＤＤ（Time Division Duplex）へ適用される無線フレーム構造がサポートされる。
【００９２】
図４において、基地局装置は、通信に使用するかもしれない（ＰＤＣＣＨおよび／またはＰＤＳＣＨおよび／またはＰＵＳＣＨを割り当てるかもしない）１つまたは複数のサービングセルのセットを、移動局装置に対して設定する。例えば、基地局装置は、サービングセルのセットを、ＲＲＣシグナリング（dedicated signalingでも良い）を使用して、移動局装置に対して設定する。
【００９３】
さらに、基地局装置は、各サービングセルにおいて下りリンク送信モードを、移動局装置に対して設定する。例えば、基地局装置は、１つの下りリンクトランスポートブロックが送信される下りリンク送信モード（シングルアンテナポートモード）を、移動局装置に対して設定する。また、例えば、基地局装置は、２つまでの下りリンクトランスポートブロックの送信をサポートする（送信が可能な）モード（マルチアンテナポートモード）を、移動局装置に対して設定する。例えば、基地局装置は、各サービングセルに対する下りリンク送信モードを、ＲＲＣシグナリング（dedicated signalingでも良い）を使用して、移動局装置に対して設定する。
【００９４】
ここで、図４において、集約された複数のサービングセルのうちの、例えば、１つのサービングセルは、プライマリセル（Ｐｃｅｌｌ：Primary cell）と定義される。例えば、プライマリセルは、ＬＴＥリリース８／リリース９のセルと同等の機能を持つサービングセルとして定義される。また、例えば、プライマリセルは、移動局装置が初期コネクション確立（initial connection establishment）プロシージャを行うセル、または、移動局装置がコネクション再確立（connection re-establishment）プロシージャを開始するセル、または、ハンドオーバプロシージャ中にプライマリセルとして指示されたセルとして定義される。さらに、例えば、ＰＵＣＣＨは、プライマリセルのみに配置されても良い。ここで、基地局装置は、プライマリセルを、ＲＲＣシグナリング（dedicated signalingでも良い）を使用して移動局装置へ指示することができる。
【００９５】
また、図４において、プライマリセルを除いたサービングセルは、セカンダリセル（Ｓｃｅｌｌ：Secondary cell）と定義される。セカンダリセルは、主に、移動局装置に対して追加の無線リソースを提供するために使用され、ＰＤＳＣＨ、ＰＵＳＣＨ、ＰＲＡＣＨでの情報の送受信に使用される。例えば、基地局装置は、セカンダリセルを、ＲＲＣシグナリング（dedicated signalingでも良い）を使用して移動局装置へ指示することができる。
【００９６】
ここで、下りリンクにおいてサービングセルに対応するキャリアは、下りリンクコンポーネントキャリア（ＤＬＣＣ：Downlink Component Carrier）と定義される。また、上りリンクにおいてサービングセルに対応するキャリアは、上りリンクコンポーネントキャリア（ＵＬＣＣ：Uplink Component Carrier）と定義される。
【００９７】
また、下りリンクにおいてプライマリセルに対応するキャリアは、下りリンクプライマリコンポーネントキャリア（ＤＬＰＣＣ:Downlink Primary Component Carrier）と定義される。また、下りリンクにおいてセカンダリセルに対応するキャリアは、下りリンクセカンダリコンポーネントキャリア（ＤＬＳＣＣ:Downlink Secondary Component Carrier）と定義される。また、上りリンクにおいてプライマリセルに対応するキャリアは、上りリンクプライマリコンポーネントキャリア（ＵＬＰＣＣ：Uplink Primary Component Carrier）と定義される。さらに、上りリンクにおいてセカンダリセルに対応するキャリアは、上りリンクセカンダリコンポーネントキャリア（ＵＬＳＣＣ:Uplink Secondary Component Carrier）と定義される。
【００９８】
また、図４において、物理チャネル（例えば、ＰＤＣＣＨ、ＰＤＳＣＨ、ＰＵＳＣＨ、ＰＵＣＣＨ）それぞれは、いずれか１つのサービングセルに配置される。例えば、１つのＰＤＣＣＨは、１つのサービングセル（ＤＬＣＣ）に配置される。また、例えば、１つのＰＵＳＣＨは１つのサービングセル（ＵＬＣＣ）に配置される。
【００９９】
［符号化方法について］
図５は、本実施形態に係る符号化方法を概念的に示す図である。本実施形態において、移動局装置は、Ａ／Ｎを示す情報（Ａ／Ｎビット）および／またはＣＳＩ（ＣＳＩビット）を、単一のＰＵＣＣＨリソースを使用して送信する。また、移動局装置は、Ａ／Ｎを示す情報（Ａ／Ｎビット）および／またはＣＳＩ（ＣＳＩビット）および／またはＳＲ（ＳＲビット）を、単一のＰＵＣＣＨリソースを使用して送信する。
【０１００】
ここで、図５に示すように、Ａ／ＮビットとＣＳＩビットは、２つのリードマラーエンコーダー（RM encoder：Reed Muller encoder）に入力され、符号化される。ここで、Ａ／Ｎを示す情報の送信とＣＳＩの送信とＳＲの送信が、同一サブフレームで生じた（衝突した）場合には、Ａ／ＮビットにＳＲビットが含まれて処理が行われる。すなわち、Ａ／ＮビットにＳＲビットが含まれて、Ａ／Ｎビットとして定義される。以下、基本的には、Ａ／ＮビットとＣＳＩビットに関する処理について記載するが、Ａ／ＮビットにＳＲビットが含まれて、Ａ／Ｎビットとして定義されたとしても同様の処理が行われる。
【０１０１】
図６は、リードマラーエンコーダーに使用されるコードワードの一例を示す図である。すなわち、Ａ／ＮビットとＣＳＩビットは、図６に示されるような（３２、ｏACK）ブロックコードを２つ利用して符号化される。ここで、例えば、符号化に利用される（３２、ｏACK）ブロックコードのコードワードとしては、Mi,nで示される１１のベースシーケンスの線形結合（linear combination）が利用される。
【０１０２】
図５において、例えば、（符号化前の）Ａ／Ｎビットと（符号化前の）ＣＳＩビット、２つのリードマラーエンコーダーそれぞれに入力される。さらに、２つのリードマラーエンコーダーそれぞれから出力されたビットシーケンス（エンコーデッドブロックとも呼称される）は、レートマッチングされ、符号化されたＡ／Ｎビットと符号化されたＣＳＩビットとして出力される。すなわち、例えば、符号化されたＡ／Ｎビットとして３２ビットが、符号化されたＣＳＩビットとして１６ビットが出力される。
【０１０３】
さらに、例えば、符号化されたＡ／Ｎビットと符号化されたＣＳＩビットは、インターリーブされて、４８ビットのビットシーケンスとして出力される。また、出力された４８ビットのビットシーケンスに対してＱＰＳＫが適用され、２４の変調シンボルが出力される。さらに、２４の変調シンボルのうちの１２の変調シンボルが１サブフレーム（１ｍｓ）の第１スロット（最初の０．５ｍｓ）にマップされ、残りの１２の変調シンボルが１サブフレーム（１ｍｓ）の第２スロット（残りの０．５ｍｓ）にマップされる。
【０１０４】
ここで、符号化されたＡ／Ｎビットの数と符号化されたＣＳＩビットの数は、（符号化前の）Ａ／Ｎビットの数を使用して決定される。また、（符号化前の）Ａ／Ｎビットの数は、サービングセルの数（下りリンクセルの数）と各サービングセル（各下りリンクセル）における下りリンク送信モードを使用して決定される。ここで、例えば、下りリンク送信モードが、２つまでの下りリンクトランスポートブロックの送信をサポートする場合には、２ビットのＡ／Ｎビットが生成される。また、それ以外の場合（例えば、下りリンク送信モードが、１つの下りリンクトランスポートブロックの送信をサポートする場合）には、１ビットのＡ／Ｎビットが生成される。
【０１０５】
ここで、（符号化前の）Ａ／Ｎビットの数は、サービングセルの数と、各サービングセルにおける下りリンク送信モードと、ある上りリンクサブフレームで送信されるＡＣＫ／ＮＡＣＫを示す情報に対応する下りリンクサブフレームの数を使用して決定されても良い。例えば、基地局装置と移動局装置の通信方法としてＴＤＤが設定された場合には、サービングセルの数と、各サービングセルにおける下りリンク送信モードと、ある上りリンクサブフレームで送信されるＡ／Ｎを示す情報に対応する下りリンクサブフレームの数を使用して、（符号化前の）Ａ／Ｎビットの数が決定されても良い。
【０１０６】
図７は、（符号化前の）Ａ／Ｎビットの数（ＯＡＣＫ）と、符号化されたＡ／Ｎビットの数（Ｑ’Ａ/Ｎ・Ｑｍ）、Ａ／Ｎを示す情報に対する変調シンボルの数（Ｑ’Ａ/Ｎ）と、符号化されたＣＳＩビットの数（Ｑ’ＣＳＩ・Ｑｍ）、ＣＳＩに対する変調シンボルの数（Ｑ’ＣＳＩ）の対応の一例を示している。ここで、Ｑｍは、１変調シンボル辺りで送信可能な符号化されたビット数を示しており、例えば、ＢＰＳＫが適用される場合にはＱｍは１、ＱＰＳＫが適用される場合にはＱｍは２である。
【０１０７】
図７において、符号化されたＡ／Ｎビットの数と符号化されたＣＳＩビットの数は、（符号化前の）Ａ／Ｎビットの数を使用して決定される。例えば、（符号化前の）Ａ／Ｎビットの数が３ビットの場合には、符号化されたＡ／Ｎビットの数は２０ビットとなり、符号化されたＣＳＩビットの数は２８ビットとなる。また、（符号化前の）Ａ／Ｎビットの数が５ビットの場合には、符号化されたＡ／Ｎビットの数は２６ビットとなり、符号化されたＣＳＩビットの数は２２ビットとなる。
【０１０８】
また、同様に、Ａ／Ｎを示す情報に対する変調シンボルの数とＣＳＩに対する変調シンボルの数も、（符号化前の）Ａ／Ｎビットの数を使用して決定される。例えば、（符号化前の）Ａ／Ｎビットの数が３ビットの場合には、Ａ／Ｎを示す情報に対する変調シンボルの数は１０となり、ＣＳＩに対する変調シンボルの数は１４となる。また、（符号化前の）Ａ／Ｎビットの数が５ビットの場合には、Ａ／Ｎを示す情報に対する変調シンボルの数は１３となり、ＣＳＩ対する変調シンボルの数は１１となる。
【０１０９】
ここで、基地局装置は、各サービングセルに対するＣＳＩの報告モード（CSI reporting mode）を、移動局装置に対して設定する。また、各サービングセルに対するＣＳＩの報告タイプ（CQI/PMI and RI reporting type）を、移動局装置に対して設定しても良い。例えば、基地局装置は、報告モードおよび／または報告タイプを、ＲＲＣシグナリング（dedicated signalingでも良い）を使用して、移動局装置に対して設定する。ここで、１つの報告モードに対して、複数の報告タイプがサポートされる。
【０１１０】
さらに、（符号化前の）ＣＳＩビットの数は、報告モードおよび／または報告タイプを使用して決定される。例えば、（符号化前の）ＣＳＩビットの数は、報告モードおよび／または報告タイプに応じて、仕様等によって決定される。
【０１１１】
すなわち、例えば、（符号化前の）Ａ／Ｎビットの数が３ビットの場合には、報告モードおよび／または報告タイプに従って決定されたビット数の（符号化前の）ＣＳＩビットが符号化され、２８ビットの符号化ビット（符号化されたＣＳＩに対するビットシーケンス）が生成される。また、（符号化前の）Ａ／Ｎビットの数が５ビットの場合には、報告モードおよび／または報告タイプに従って決定されたビット数の（符号化前の）ＣＳＩビットが符号化され、２２ビットの符号化ビット（符号化されたＣＳＩに対するビットシーケンス）が生成される。
【０１１２】
また、同様に、（符号化前の）Ａ／Ｎビットの数が３ビットの場合には、報告モードおよび／または報告タイプに従って決定されたビット数の（符号化前の）ＣＳＩビットが変調され（例えば、ＱＰＳＫが適用され）、ＣＳＩに対する１４の変調シンボルが生成される。また、（符号化前の）Ａ／Ｎビットの数が５ビットの場合には、報告モードおよび／または報告タイプに従って決定されたビット数の（符号化前の）ＣＳＩビットが変調され（例えば、ＱＰＳＫが適用され）、ＣＳＩに対する１１の変調シンボルが生成される。
【０１１３】
すなわち、図７において、例えば、移動局装置は、２０ビットの符号化されたＡ／Ｎビット（符号化前は３ビットのＡ／Ｎを示す情報）と２８ビットの符号化されたＣＳＩビットをともに、単一のＰＵＣＣＨリソースを使用して送信する。また、例えば、移動局装置は、２６ビットの符号化されたＡ／Ｎビット（符号化前は５ビットのＡ／Ｎを示す情報）と２８ビットの符号化されたＣＳＩビットをともに、単一のＰＵＣＣＨリソースを使用して送信する。
【０１１４】
ここで、上記までの説明では、Ａ／Ｎを示す情報とＣＳＩの送信に使用されるＰＵＣＣＨ（ＰＵＣＣＨリソース）のフォーマットとして、（最大で）４８ビットの符号化ビットを送信可能なＰＵＣＣＨのフォーマット（すなわち、ＰＵＣＣＨフォーマット３と同様のＰＵＣＣＨフォーマット）を想定している。しかしながら、どのようなＰＵＣＣＨフォーマットであっても、本実施形態と同様の実施形態が適用可能なことは勿論である。
【０１１５】
また、Ａ／Ｎを示す情報とＣＳＩの送信に使用されるＰＵＣＣＨリソース（ＰＵＣＣＨフォーマットでも良い）に適用可能な変調方式は、ＱＰＳＫを想定している。しかしながら、どのような変調方式であっても、本実施形態と同様の形態が適用可能なことは勿論である。
【０１１６】
［Ａ／Ｎを示す情報および／またはＣＳＩの送信について］
上記までに記載した通り、移動局装置は、（Ａ／Ｎを示す情報とＣＳＩの送信とが同一サブフレームで生じた場合には）、Ａ／Ｎを示す情報とＣＳＩをともに、単一のＰＵＣＣＨリソース（例えば、ＰＵＣＣＨフォーマット３と同様のＰＵＣＣＨフォーマットにおけるＰＵＣＣＨリソース）を使用して、基地局装置へ送信する。
【０１１７】
また、移動局装置は、（Ａ／Ｎを示す情報とＣＳＩの送信とＳＲの送信が同一サブフレームで生じた場合には）、Ａ／Ｎを示す情報とＣＳＩとＳＲをともに、単一のリソース（例えば、ＰＵＣＣＨフォーマット３と同様のＰＵＣＣＨフォーマットにおけるＰＵＣＣＨリソース）を使用して基地局装置へ送信する。
【０１１８】
ここで、Ａ／Ｎを示す情報には、１つまたは複数のサービングセル（１つまたは複数のサービングセルで送信される１つまたは複数の下りリンクトランスポートブロック）に対応するＡ／Ｎを示す情報が含まれる。また、ＣＳＩには、１つまたは複数のサービングセル（１つまたは複数のサービングセルで送信される１つまたは複数の下りリンク信号に対応するＣＳＩが含まれる。また、ＣＳＩには、移動局装置によって周期的に送信されるＣＳＩ（periodic CSIとも呼称される）が含まれても良い。
【０１１９】
例えば、移動局装置は、複数のサービングセルそれぞれで送信される下りリンクトランスポートブロックに対応するＡ／Ｎを示す情報と、１つのサービングセルで送信される下りリンク信号に対応するＣＳＩを、単一のＰＵＣＣＨリソースを使用して送信する。
【０１２０】
ここで、移動局装置は、符号化されたＣＳＩのビット数（以下、第１のＣＳＩビットの数とも記載される）が、所定の値（以下、所定の符号化ビットの数、第２のＣＳＩビットの数とも記載される）を下回っている場合には、ＣＳＩを送信せずに（ＣＳＩ（ＣＳＩの送信）をドロップし）、Ａ／Ｎを示す情報のみを送信することができる。
【０１２１】
すなわち、移動局装置は、（符号化前の）Ａ／Ｎビットの数に応じて、第１の符号化されたＡ／Ｎビットの数（以下、第１のＡ／Ｎビットの数とも記載される）と第１のＣＳＩビットの数を決定する。また、移動局装置は、第１のＣＳＩビットの数と所定の符号化ビットの数を比較して、第１のＣＳＩビットの数が所定の符号化ビットの数を下回っている場合には、ＣＳＩをドロップする。そして、移動局装置は、第２の符号化されたＡ／Ｎビットの数（以下、第２のＡ／Ｎビットの数とも記載される）のＡ／Ｎを示す情報のみを送信する。
【０１２２】
すなわち、ＣＳＩの送信（ＣＳＩをドロップするかどうか）に対して、所定の値として最小値（最小の符号化ビットの数）が設定される。移動局装置は、（符号化前の）Ａ／Ｎビットの数に応じて決定される符号化されたＣＳＩビットの数が最小値を下回っている場合には、ＣＳＩを送信しない（ＣＳＩをドロップする）。
【０１２３】
ここで、例えば、第２のＡ／Ｎビットの数は、Ａ／Ｎを示す情報とＣＳＩの送信に使用されるＰＵＣＣＨリソース（ＰＵＣＣＨフォーマットでも良い）において送信可能な符号化ビットの数（符号化ビットの最大数、例えば、４８ビット）に応じて決定される。
【０１２４】
また、移動局装置は、ＣＳＩに対する変調シンボルの数（以下、第１のＣＳＩシンボルの数とも記載される）が、所定の値（以下、所定の変調シンボルの数、第２のＣＳＩシンボルの数とも記載される）を下回っている場合には、ＣＳＩを送信せずに（ＣＳＩ（ＣＳＩの送信）をドロップし）、Ａ／Ｎを示す情報のみを送信しても良い。
【０１２５】
すなわち、移動局装置は、（符号化前の）Ａ／Ｎビットの数に応じて、Ａ／Ｎを示す情報に対する第１の変調シンボルの数（以下、第１のＡ／Ｎシンボルの数とも記載される）と第１のＣＳＩシンボルの数を決定する。また、移動局装置は、第１のＣＳＩシンボルの数と所定の変調シンボルの数を比較して、第１のＣＳＩシンボルの数が所定の変調シンボルの数を下回っている場合には、ＣＳＩをドロップする。そして、移動局装置は、Ａ／Ｎビットに対する第２の変調シンボルの数（以下、第２のＡ／Ｎシンボルの数とも記載される）のＡ／Ｎを示す情報のみを送信する。
【０１２６】
すなわち、ＣＳＩの送信（ＣＳＩをドロップするかどうか）に対して、所定の値として最小値（最小の変調シンボルの数）が設定される。移動局装置は、（符号化前の）Ａ／Ｎビットの数に応じて決定される変調シンボルの数が最小値を下回っている場合には、ＣＳＩを送信しない（ＣＳＩをドロップする）。
【０１２７】
ここで、例えば、第２のＡ／Ｎシンボルの数は、Ａ／Ｎを示す情報とＣＳＩの送信に使用されるＰＵＣＣＨリソース（ＰＵＣＣＨフォーマットでも良い）において送信可能な変調シンボルの数（変調シンボルの最大数、例えば、２４シンボル）に応じて決定される。
【０１２８】
さらに、例えば、所定の値（所定の符号化ビットの数、所定の変調シンボルの数）は、（符号化前の）ＣＳＩビットの数を使用して決定される。また、所定の値（所定の符号化ビットの数、所定の変調シンボルの数）は、下記に示すような算出式（１）を使用して算出されても良い。
【０１２９】
また、例えば、所定の値（所定の符号化ビットの数）は、ＣＳＩを復号するために必要な符号化されたＣＳＩビットの最小の数として定義されても良い。また、所定の値（所定の変調シンボルの数）は、ＣＳＩを復調するために必要な変調シンボルの最小の数として定義されても良い。
【０１３０】
図８は、（符号化前の）ＣＳＩビットの数（ＯＣＳＩ）と所定の値（所定の符号化ビットの数：Ｑ’CSImin・Ｑｍ、所定の変調シンボルの数：Ｑ’CSImin）の対応の一例を示している。図８において、所定の符号化ビットの数は、ＣＳＩを復号するために必要な符号化されたＣＳＩビットの最小の数として記載されている。また、所定の変調シンボルの数は、ＣＳＩを復調するために必要な変調シンボルの最小の数として記載されている。ここで、ＣＳＩを復号するために必要な符号化されたＣＳＩビットの最小の数として括弧で示されるビット数は、理論値を示している。
【０１３１】
図８に示す通り、例えば、（符号化前の）ＣＳＩビットの数が３ビットの場合には、所定の値（ＣＳＩを復号するために必要な符号化されたＣＳＩビットの最小の数）は６ビットとして定義される。また、（符号化前の）ＣＳＩビットの数が１１ビットの場合には、所定の値（ＣＳＩを復号するために必要な符号化されたＣＳＩビットの最小の数）は１８ビットとして定義される。
【０１３２】
また、同様に、例えば、（符号化前の）ＣＳＩビットの数が３ビットの場合には、所定の値（ＣＳＩを復調するために必要な変調シンボルの数）は３として定義される。また、（符号化前の）ＣＳＩビットの数が１１ビットの場合には、所定の値（ＣＳＩを復調するために必要な変調シンボルの数）は９として定義される。
【０１３３】
さらに、所定の値（所定の符号化ビットの数、所定の変調シンボルの数）は、下記に示すような算出式（１）によって算出されても良い。ここで、算出式（１）において、ＱＰＳＫが適用される場合にはＱｍは２であり、Ｑ’CSImin＝ＯＣＳＩとなる。
【０１３４】
【数１】
2013098952.tif 000003
【０１３５】
上記までに記載した通り、移動局装置は、（符号化前の）Ａ／Ｎビットの数（ＯＡＣＫ）に応じて、第１のＡ／Ｎビットの数（Ｑ’ ’Ａ/Ｎ・Ｑｍ）と第１のＣＳＩビットの数（Ｑ’ ’ＣＳＩ・Ｑｍ）を決定する。また、移動局装置は、第１のＣＳＩビットの数（Ｑ’ ’ＣＳＩ・Ｑｍ）と所定の値（Ｑ’CSImin・Ｑｍ）を比較して、第１のＣＳＩビットの数が所定の値を下回っている場合（すなわち、Ｑ’’ＣＳＩ・Ｑｍ＜Ｑ’CSImin・Ｑｍの場合）には、ＣＳＩをドロップする。そして、移動局装置は、第２のＡ／Ｎビットの数（すなわち、Ｑ’Ａ/Ｎ・Ｑｍ）のＡ／Ｎを示す情報のみを送信する。
【０１３６】
また、移動局装置は、（符号化前の）Ａ／Ｎビットの数（ＯＡＣＫ）に応じて、第１のＡ／Ｎシンボルの数（Ｑ’’Ａ/Ｎ）と第１のＣＳＩシンボルの数（Ｑ’’ＣＳＩ）を決定する。さらに、移動局装置は、第１のＣＳＩシンボルの数（Ｑ’’ＣＳＩ）と所定の値（Ｑ’CSImin）を比較して、第１のＣＳＩシンボルの数が所定の値を下回っている場合（すなわち、Ｑ’’ＣＳＩ＜Ｑ’CSIminの場合）には、ＣＳＩをドロップする。そして、移動局装置は、第２のＡ／Ｎシンボルの数（すなわち、Ｑ’Ａ/Ｎ）のＡ／Ｎを示す情報のみを送信する。
【０１３７】
上記までに記載した通り、移動局装置が、（符号化前の）Ａ／Ｎビットの数に応じて決定される符号化されたＣＳＩビットの数が、所定の値を下回っている場合には、ＣＳＩを送信せずに、Ａ／Ｎを示す情報のみを送信することによって、ＰＵＣＣＨリソースにおいて送信可能な最大の符号化ビットの数をＡ／Ｎを示す情報の送信に使用することが可能となり、Ａ／Ｎを示す情報を、信頼性を高くして送信することが可能となる。
【０１３８】
また、移動局装置が、（符号化前の）Ａ／Ｎビットの数に応じて決定されるＣＳＩに対する変調シンボルの数が、所定の値を下回っている場合には、ＣＳＩを送信せずに、Ａ／Ｎを示す情報のみを送信することによって、ＰＵＣＣＨリソースにおいて送信可能な最大の変調シンボルの数をＡ／Ｎを示す情報の送信に使用することが可能となり、Ａ／Ｎを示す情報を、信頼性を高くして送信することが可能となる。
【０１３９】
また、移動局装置は、第１のＣＳＩビットの数と所定の値（所定の符号化ビットの数、第２のＣＳＩビットの数）のうちの大きい値（以下、第３のＣＳＩビットの数とも記載される）を選択し、符号化されたＡ／Ｎを示す情報と第３のＣＳＩビットの数の符号化されたＣＳＩをともに送信することができる。
【０１４０】
すなわち、移動局装置は、（符号化前の）Ａ／Ｎビットの数に応じて、第１のＡ／Ｎビットの数と第１のＣＳＩビットの数を決定する。また、移動局装置は、第１のＣＳＩビットの数と所定の符号化ビットの数のうちの大きい値を第３のＣＳＩビットの数として選択する。さらに、移動局装置は、第３のＣＳＩビットの数に応じて、第３の符号化されたＡ／Ｎビットの数（以下、第３のＡ／Ｎビットの数とも記載される）を決定する。そして、移動局装置は、第３のＡ／Ｎビットの数の符号化されたＡ／Ｎを示す情報と第３のＣＳＩビットの数の符号化されたＣＳＩをともに送信する。
【０１４１】
すなわち、Ａ／Ｎを示す情報とともに送信されるＣＳＩの符号化ビットに対して、所定の値として最小値（最小の符号化ビットの数）が設定される。移動局装置は、（符号化前の）Ａ／Ｎビットの数に応じて決定される符号化されたＣＳＩビットの数が最小値を下回っている場合には、最小の符号化ビットの数の符号化されたＣＳＩを送信する。
【０１４２】
ここで、例えば、第３のＡ／Ｎビットの数は、Ａ／Ｎを示す情報とＣＳＩの送信に使用されるＰＵＣＣＨリソース（ＰＵＣＣＨフォーマットでも良い）において送信可能な符号化ビットの数（符号化ビットの最大数、例えば、４８ビット）と第３のＣＳＩビットの数を使用して決定される。例えば、第３のＡ／Ｎビットの数は、Ａ／Ｎを示す情報とＣＳＩの送信に使用されるＰＵＣＣＨリソースにおいて送信可能な符号化ビットの数から第３のＣＳＩビットの数を引いた値となる。
【０１４３】
また、移動局装置は、第１のＣＳＩシンボルの数と所定の値（所定の変調シンボルの数）のうちの大きい値（以下、第３のＣＳＩシンボルの数とも記載される）を選択し、Ａ／Ｎを示す情報と第３のＣＳＩシンボルの数のＣＳＩをともに送信しても良い。
【０１４４】
すなわち、移動局装置は、（符号化前の）Ａ／Ｎビットの数に応じて、第１のＡ／Ｎシンボルの数と第１のＣＳＩシンボルの数を決定する。また、移動局装置は、第１のＣＳＩシンボルの数と所定の変調シンボルの数のうちの大きい値を第３のＣＳＩシンボルの数として選択する。さらに、移動局装置は、第３のＣＳＩシンボルの数に応じて、Ａ／Ｎを示す情報に対する第３の変調シンボルの数（以下、第３のＡ／Ｎシンボルの数とも記載される）を決定する。そして、移動局装置は、第３のＡ／Ｎシンボルの数のＡ／Ｎを示す情報と第３のＣＳＩシンボルの数のＣＳＩをともに送信する。
【０１４５】
すなわち、Ａ／Ｎを示す情報とともに送信されるＣＳＩの変調シンボルに対して、所定の値として最小値（最小の変調シンボルの数）が設定される。移動局装置は、（符号化前の）Ａ／Ｎビットの数に応じて決定される変調シンボルの数が最小値を下回っている場合には、最小の変調シンボルの数の符号化されたＣＳＩを送信する。
【０１４６】
ここで、例えば、第３のＡ／Ｎシンボルの数は、Ａ／Ｎを示す情報とＣＳＩの送信に使用されるＰＵＣＣＨリソース（ＰＵＣＣＨフォーマットでも良い）において送信可能な変調シンボルの数（変調シンボルの最大数、例えば、２４シンボル）と第３のＣＳＩシンボルの数を使用して決定される。例えば、第３のＡ／Ｎシンボルの数は、Ａ／Ｎを示す情報とＣＳＩの送信に使用されるＰＵＣＣＨリソースにおいて送信可能な変調シンボルの数から第３のＣＳＩシンボルの数を引いた値となる。
【０１４７】
すなわち、移動局装置は、（符号化前の）Ａ／Ｎビットの数（ＯＡＣＫ）に応じて、第１のＡ／Ｎビットの数（Ｑ’ ’Ａ/Ｎ・Ｑｍ）と第１のＣＳＩビットの数（Ｑ’’ＣＳＩ・Ｑｍ）を決定する。また、移動局装置は、第１のＣＳＩビットの数（Ｑ’’ＣＳＩ・Ｑｍ）と所定の値（Ｑ’CSImin・Ｑｍ）のうちの大きい値を、第３のＣＳＩビットの数（すなわち、Ｑ’ＣＳＩ・Ｑｍ）として選択する。さらに、移動局装置は、第３のＣＳＩビットの数に応じて、第２のＡ／Ｎビットの数（すなわち、Ｑ’Ａ/Ｎ・Ｑｍ）を決定する。そして、移動局装置は、第２のＡ／Ｎビットの数の符号化されたＡ／Ｎを示す情報と第３のＣＳＩビットの数の符号化されたＣＳＩをともに送信する。
【０１４８】
また、移動局装置は、（符号化前の）Ａ／Ｎビットの数（ＯＡＣＫ）に応じて、第１のＡ／Ｎシンボルの数（Ｑ’ ’Ａ/Ｎ）と第１のＣＳＩシンボルの数（Ｑ’’ＣＳＩ）を決定しても良い。また、移動局装置は、第１のＣＳＩシンボルの数（Ｑ’’ＣＳＩ）と所定の値（Ｑ’CSImin）のうちの大きい値を、第３のＣＳＩシンボルの数（すなわち、Ｑ’ＣＳＩ）として選択する。さらに、移動局装置は、第３のＣＳＩシンボルの数に応じて、第２のＡ／Ｎシンボルの数（すなわち、Ｑ’Ａ/Ｎ）を決定する。そして、移動局装置は、第２のＡ／Ｎシンボルの数のＡ／Ｎを示す情報と第３のＣＳＩシンボルの数のＣＳＩをともに送信する。
【０１４９】
すなわち、移動局装置は、下記に示すような算出式（２）に従って、第３のＣＳＩビットの数（Ｑ’ＣＳＩ・Ｑｍ）を算出することができる。
【０１５０】
【数２】
2013098952.tif 000004
【０１５１】
また、移動局装置は、下記に示すような算出式（３）に従って、第３のＣＳＩシンボルの数（Ｑ’ＣＳＩ）を算出しても良い。
【０１５２】
【数３】
2013098952.tif 000005
【０１５３】
上記までに記載した通り、移動局装置が、（符号化前の）Ａ／Ｎビットの数に応じて決定される符号化されたＣＳＩビットの数と所定の値のうちの大きい値を選択し、符号化されたＡ／Ｎを示す情報と選択した値（符号化ビットの数）の符号化されたＣＳＩをともに送信することによって、Ａ／Ｎを示す情報とＣＳＩを、信頼性を高くして送信することが可能となる。すなわち、例えば、ＣＳＩを復号するために必要な符号化されたＣＳＩビットの最小の数を確保して、Ａ／Ｎを示す情報とＣＳＩをともに送信することが可能となる。
【０１５４】
また、移動局装置が、（符号化前の）Ａ／Ｎビットの数に応じて決定されるＣＳＩに対する変調シンボルの数と所定の値のうちの大きい値を選択し、変調されたＡ／Ｎを示す情報と選択した値（変調シンボル数）の変調されたＣＳＩをともに送信することによって、Ａ／Ｎを示す情報とＣＳＩを、信頼性を高くして送信することが可能となる。すなわち、例えば、ＣＳＩを復調するために必要なＣＳＩに対する変調シンボルの最小の数を確保して、Ａ／Ｎを示す情報とＣＳＩをともに送信することが可能となる。
【０１５５】
また、移動局装置は、（符号化前の）Ａ／Ｎビットの数に応じて、所定の値（以下、所定のＡ／Ｎビットの数、第４のＡ／Ｎビットの数とも記載する）以下の符号化されたＡ／Ｎビットの数と、符号化されたＣＳＩビットの数を決定し、所定の値以下の符号化ビットの符号化されたＡ／Ｎを示す情報と、符号化されたＣＳＩをともに送信することができる。
【０１５６】
すなわち、ＣＳＩとともに送信されるＡ／Ｎを示す情報の符号化ビットに対して、所定の値として最大値（最大の符号化ビットの数）が設定される。すなわち、移動局装置は、符号化されたＡ／Ｎビットの数を、最大の符号化ビットの数を超えないように決定する。
【０１５７】
また、移動局装置は、（符号化前の）Ａ／Ｎビットの数に応じて、所定の値（以下、所定のＡ／Ｎシンボルの数、第４のＡ／Ｎシンボルの数とも記載する）以下のＡ／Ｎを示す情報に対する変調シンボルの数と、ＣＳＩに対する変調シンボルの数を決定し、所定の値以下の変調シンボル数の変調されたＡ／Ｎを示す情報と、変調されたＣＳＩをともに送信することができる。
【０１５８】
すなわち、ＣＳＩとともに送信されるＡ／Ｎを示す情報の変調シンボルに対して、所定の値として最大値（最大の変調シンボルの数）が設定される。すなわち、移動局装置は、Ａ／Ｎを示す情報に対する変調シンボルの数を、最大の変調シンボルの数を超えないように決定する。
【０１５９】
ここで、例えば、所定の値（所定のＡ／Ｎビットの数）は、Ａ／Ｎを示す情報とＣＳＩの送信に使用されるＰＵＣＣＨリソース（ＰＵＣＣＨフォーマットでも良い）において送信可能な符号化ビットの数（符号化ビットの最大数、例えば、４８ビット）を使用して決定される。また、所定の値（所定のＡ／Ｎビットの数）は、ＰＵＣＣＨリソース（ＰＵＣＣＨフォーマットでも良い）フォーマットで送信可能な（符号化前の）ＣＳＩビットの数を使用して決定される。すなわち、所定の値（所定のＡ／Ｎビットの数）は、（符号化前の）ＣＳＩビットの数を使用して決定される。また、所定の値（所定のＡ／Ｎビットの数）は、ＣＳＩを復号するために必要な符号化されたＣＳＩビットの最小の数を使用して決定される。また、所定の値（所定のＡ／Ｎビットの数）は、Ａ／Ｎを示す情報および／またはＣＳＩの符号化に使用されるリードマラーエンコーダーのサイズ（符号化方式）を使用して決定される。
【０１６０】
例えば、所定の値（所定のＡ／Ｎビットの数、例えば、３０ビット）は、Ａ／Ｎを示す情報とＣＳＩの送信に使用されるＰＵＣＣＨリソースにおいて送信可能な符号化ビットの数（例えば、４８ビット）から、ＣＳＩを復号するために必要な符号化されたＣＳＩビットの最小の数（例えば、１８ビット）を引いた値として示される。ここで、ＣＳＩを復号するために必要な符号化されたＣＳＩビットの最小の数（例えば、１８ビット）は、単一のリードマラーエンコーダーで符号化可能な最大のＣＳＩビットの数（例えば、１１ビット）を符号化することによって得られる符号化ビット（符号化されたＣＳＩビット）を復号するために必要な符号化されたＣＳＩビットの最小の数として示される。
【０１６１】
また、例えば、所定の値（所定のＡ／Ｎシンボルの数）は、Ａ／Ｎを示す情報とＣＳＩの送信に使用されるＰＵＣＣＨリソース（ＰＵＣＣＨフォーマットでも良い）において送信可能な変調シンボルの数（変調シンボルの最大数、例えば、２４シンボル）を使用して決定される。また、所定の値（所定のＡ／Ｎシンボルの数）は、（符号化前の）ＣＳＩビットの数を使用して決定される。また、所定の値（所定のＡ／Ｎシンボルの数）は、ＣＳＩを復調するために必要な変調シンボルの最小の数を使用して決定される。また、所定の値（所定のＡ／Ｎシンボルの数）は、Ａ／Ｎを示す情報および／またはＣＳＩの符号化に使用されるリードマラーエンコーダーのサイズ（符号化方式）を使用して決定される。
【０１６２】
例えば、所定の値（所定の変調シンボルの数、例えば、１５シンボル）は、Ａ／Ｎを示す情報とＣＳＩの送信に使用されるＰＵＣＣＨリソースにおいて送信可能な変調シンボルの数（例えば、２４シンボル）から、ＣＳＩを復調するために必要な変調シンボルの最小の数（例えば、９シンボル）を引いた値として示される。ここで、ＣＳＩを復調するために必要な変調シンボルの最小の数（例えば、９シンボル）は、単一のリードマラーエンコーダーで符号化可能な最大のＣＳＩビットの数（例えば、１１ビット）を変調することによって得られる変調シンボル（ＣＳＩに対する変調シンボル）を復調するために必要な変調シンボルの最小の数として示される。
【０１６３】
図９は、（符号化前の）Ａ／Ｎビットの数（ＯＡＣＫ）と、符号化されたＡ／Ｎビットの数（Ｑ’Ａ/Ｎ・Ｑｍ）、Ａ／Ｎを示す情報に対する変調シンボルの数（Ｑ’Ａ/Ｎ）と、符号化されたＣＳＩビットの数（Ｑ’ＣＳＩ・Ｑｍ）、ＣＳＩに対する変調シンボルの数（Ｑ’ＣＳＩ）の対応の一例を示している。
【０１６４】
すなわち、移動局装置は、図７の代わりに、図９で示すような処理を行うことによって、所定の値よりも小さい符号化されたＡ／Ｎビットの数を決定する。また、移動局装置は、図７の代わりに、図９で示すような処理を行うことによって、所定の値よりも小さい変調シンボルの数を決定する。
【０１６５】
図９に示す通り、（符号化前の）Ａ／Ｎビットの数が３ビットの場合には、符号化されたＡ／Ｎビットの数は２０ビットとなり、符号化されたＣＳＩビットの数は２８ビットとなる。また、（符号化前の）Ａ／Ｎビットの数が３ビットの場合には、Ａ／Ｎを示す情報に対する変調シンボルの数は１０となり、ＣＳＩに対する変調シンボルの数は１４となる。
【０１６６】
ここで、（符号化前の）Ａ／Ｎビットの数が６ビット以上の場合（図９では、一例として、（符号化前の）Ａ／Ｎビットの数が６ビットから８ビットの場合が記載されている）には、符号化されたＡ／Ｎビットの数は３０ビットとなり、符号化されたＣＳＩビットの数は１８ビットとなる。また、（符号化前の）Ａ／Ｎビットの数が６ビット以上の場合には、Ａ／Ｎを示す情報に対する変調シンボルの数は１５となり、ＣＳＩに対する変調シンボルの数は９となる。
【０１６７】
すなわち、図９において、移動局装置は、符号化されたＡ／Ｎビットの数を、所定の値（所定のＡ／Ｎビットの数、例えば、３０ビット）を超えないように決定する。すなわち、移動局装置は、（符号化前の）Ａ／Ｎビットの数が６ビット以上の場合には、符号化されたＡ／Ｎビットの数を、常に３０ビットとして決定する。
【０１６８】
ここで、例えば、符号化されたＡ／Ｎビットの数が３０ビットの場合には、符号化されたＣＳＩビットの数は１８ビットとなる。すなわち、符号化されたＣＳＩビットの数は、Ａ／Ｎを示す情報とＣＳＩの送信に使用されるＰＵＣＣＨリソース（ＰＵＣＣＨフォーマットでも良い）において送信可能な符号化ビット（符号化ビットの最大数、例えば、４８ビット）から、符号化されたＡ／Ｎビットの数を引いた値となる。
【０１６９】
すなわち、（符号化前の）Ａ／Ｎビットの数が６ビット以上の場合には、報告モード／報告タイプに従って決定された（符号化前の）ＣＳＩビットが符号化され、１８ビットの符号化ビットが生成される。すなわち、図９において、移動局装置は、（符号化前の）Ａ／Ｎビットの数が６ビット以上の場合には、３０ビットの符号化されたＡ／Ｎビットと１８ビットの符号化されたＣＳＩビットを送信する。
【０１７０】
また、移動局装置は、Ａ／Ｎを示す情報に対する変調シンボルの数を、所定の値（所定のＡ／Ｎシンボルの数、例えば、１５シンボル）を超えないように決定する。すなわち、移動局装置は、（符号化前の）Ａ／Ｎビットの数が６ビット以上の場合には、Ａ／Ｎを示す情報に対する変調シンボルの数を、常に１５シンボルとして決定する。
【０１７１】
ここで、例えば、Ａ／Ｎを示す情報に対する変調シンボルの数が１５シンボルの場合には、ＣＳＩに対する変調シンボルの数は９シンボルとなる。すなわち、ＣＳＩに対する変調シンボルの数は、Ａ／Ｎを示す情報とＣＳＩの送信に使用されるＰＵＣＣＨリソース（ＰＵＣＣＨフォーマットでも良い）において送信可能な変調シンボル（変調シンボルの最大数、例えば、２４シンボル）から、Ａ／Ｎを示す情報に対する変調シンボルの数を引いた値となる。
【０１７２】
すなわち、（符号化前の）Ａ／Ｎビットの数が６ビット以上の場合には、報告モード／報告タイプに従って決定された（符号化前の）ＣＳＩビットが変調され、９シンボルの変調シンボルが生成される。すなわち、図９において、移動局装置は、（符号化前の）Ａ／Ｎビットの数が６ビット以上の場合には、１５シンボルの変調されたＡ／Ｎビットと９シンボルの変調されたＣＳＩビットを送信する。
【０１７３】
上記までに記載した通り、移動局装置が、符号化されたＡ／Ｎビットの数を、所定の値（例えば、３０ビット）を超えないように決定することによって、Ａ／Ｎを示す情報とＣＳＩを、信頼性を高くして送信することが可能となる。すなわち、例えば、ＣＳＩを復号するために必要な符号化されたＣＳＩビットの最小の数（例えば、１８ビット）を常に確保して、Ａ／Ｎを示す情報とＣＳＩをともに送信することが可能となる。
【０１７４】
また、移動局装置が、Ａ／Ｎを示す情報に対する変調シンボルの数を、所定の値（１５シンボル）を超えないように決定することによって、Ａ／Ｎを示す情報とＣＳＩを、信頼性を高くして送信することが可能となる。すなわち、例えば、ＣＳＩを復調するために必要な変調シンボルの最小の数（例えば、９シンボル）を常に確保して、Ａ／Ｎを示す情報とＣＳＩをともに送信することが可能となる。
【０１７５】
［インターリーブについて］
上記までに記載した通り、例えば、符号化されたＡ／Ｎビット（Ａ／Ｎのビットシーケンス）と符号化されたＣＳＩビット（ＣＳＩのビットシーケンス）は、インターリーブされて、４８ビットのビットシーケンスとして出力される。また、例えば、出力された４８ビットのビットシーケンスに対してＱＰＳＫが適用され、２４の変調シンボルが出力される。さらに、２４の変調シンボルのうちの最初の１２の変調シンボルが１サブフレーム（１ｍｓ）の第１スロット（最初の０．５ｍｓ）のリソースにマップされ、残りの１２の変調シンボルが１サブフレーム（１ｍｓ）の第２スロット（残りの０．５ｍｓ）のリソースにマップされる。ここで、第１スロットのリソースの周波数と第２スロットのリソースの周波数は異なる。
【０１７６】
ここで、移動局装置は、Ａ／ＮのビットシーケンスとＣＳＩのビットシーケンスを連結した後に、２符号化ビット単位でインターリーブを行うことができる。すなわち、移動局装置は、Ａ／ＮのビットシーケンスとＣＳＩのビットシーケンスを連結し、連結されたビットシーケンスに対して、２符号化ビット単位でインターリーブを行う。
【０１７７】
ここで、移動局装置が、いくつの符号化ビット単位でインターリーブを行うのかは、適用される変調方式に応じて決定される。すなわち、適用される変調方式がＱＰＳＫの場合には２符号化ビット単位でインターリーブが行われ、適用される変調方式が１６ＱＡＭの場合には４符号化ビット単位でインターリーブが行われる。
【０１７８】
図１０は、インターリーブの方法を示している。図１０では、説明を容易にするために、一例として、１２ビットのＡ／Ｎビット（Ａ／Ｎのビットシーケンス：＜a0、a1、a2、a3、a4、a5、a6、a7、a8、a9、a10、a11＞）と４ビットのＣＳＩビット（ＣＳＩビットシーケンス：＜b0、b1、b2、b3＞）がインターリーブされる様子が示されている。ここで、図１０では、説明を容易にするために１２ビットのＡ／Ｎビットと４ビットのＣＳＩビットがインターリーブされる様子を記載しているが、Ａ／ＮビットとＣＳＩビットが何ビットであっても、同様の処理が行われることは勿論である。すなわち、例えば、移動局装置は、図１０で示されるインターリーブと同様の処理を行うことによって、４８ビットのビットシーケンスを出力することができる。
【０１７９】
図１０において、まず、移動局装置は、Ａ／Ｎのビットシーケンス：＜a0、a1、a2、a3、a4、a5、a6、a7、a8、a9、a10、a11＞とＣＳＩビットシーケンス：＜b0、b1、b2、b3＞を連結することによって、ビットシーケンス＜a0、a1、a2、a3、a4、a5、a6、a7、a8、a9、a10、a11、b0、b1、b2、b3＞を生成する。さらに、移動局装置は、生成したビットシーケンスを２符号化ビット単位でインターリーブすることによって、ビットシーケンス＜a0、a1、a4、a5、a8、a9、b0、b1、a2、a3、a6、a7、a10、a11、b2、b3＞を生成する。そして、移動局装置は、生成したビットシーケンス＜a0、a1、a4、a5、a8、a9、b0、b1、a2、a3、a6、a7、a10、a11、b2、b3＞を２つに分割することによって、ビットシーケンス＜a0、a1、a4、a5、a8、a9、b0、b1＞とビットシーケンス＜a2、a3、a6、a7、a10、a11、b2、b3＞が生成される。
【０１８０】
上記までに記載したように、例えば、ビットシーケンス＜a0、a1、a4、a5、a8、a9、b0、b1＞とビットシーケンス＜a2、a3、a6、a7、a10、a11、b2、b3＞それぞれには、ＱＰＳＫが適用され、各スロットのリソースへマップされる。すなわち、例えば、ビットシーケンス＜a0、a1、a4、a5、a8、a9、b0、b1＞が第１のスロットのリソースに、ビットシーケンス＜a2、a3、a6、a7、a10、a11、b2、b3＞が第２のスロットのリソースにマップされる。
【０１８１】
上記までに記載した通り、移動局装置が、Ａ／ＮのビットシーケンスとＣＳＩのビットシーケンスを連結した後に、２符号化ビット単位でインターリーブすることによって、Ａ／ＮのビットシーケンスとＣＳＩのビットシーケンスを、第１スロットのリソースと第２スロットのリソースに偏りなく（均一に）マップすることが可能となる。これにより、Ａ／Ｎを示す情報とＣＳＩは時間および周波数のダイバーシチ効果を得ることができる。これにより、Ａ／Ｎを示す情報とＣＳＩを、信頼性を高くして送信することが可能となる。
【０１８２】
以上説明した実施形態は、基地局装置および／または移動局装置に搭載される集積回路にも適用される。また、以上説明した実施形態において、基地局装置内の各機能や、移動局装置内の各機能を実現するためのプログラムをコンピュータ読み取り可能な記録媒体に記録して、この記録媒体に記録されたプログラムをコンピュータシステムに読み込ませ、実行することにより基地局装置や移動局装置の制御を行なっても良い。なお、ここでいう「コンピュータシステム」とは、ＯＳや周辺機器等のハードウェアを含むものとする。
【０１８３】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、更に前述した機能をコンピュータシステムに既に記録されているプログラムとの組み合わせで実現できるものであっても良い。
【０１８４】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０１８５】
１００  基地局装置
１０１  データ制御部
１０２  送信データ変調部
１０３  無線部
１０４  スケジューリング部
１０５  チャネル推定部
１０６  受信データ復調部
１０７  データ抽出部
１０８  上位層
１０９  アンテナ
１１０  無線リソース制御部
２００  移動局装置
２０１  データ制御部
２０２  送信データ変調部
２０３  無線部
２０４  スケジューリング部
２０５  チャネル推定部
２０６  受信データ復調部
２０７  データ抽出部
２０８  上位層
２０９  アンテナ
２１０  無線リソース制御部
【図１】
2013098952.tif 000006
【図２】
2013098952.tif 000007
【図３】
2013098952.tif 000008
【図４】
2013098952.tif 000009
【図５】
2013098952.tif 000010
【図６】
2013098952.tif 000011
【図７】
2013098952.tif 000012
【図８】
2013098952.tif 000013
【図９】
2013098952.tif 000014
【図１０】
2013098952.tif 000015